(57)【要約】      （修正有）【課題】低粘性であり、その上効果的な消泡剤、消泡剤組成物、及び消泡剤組成物を製造、使用する方法の提供。【解決手段】２−フェニルプロピルメチル部分を１〜７５モル％含む有機変性シリコーン、シリカ、有機変性シリコーンの粘度より小さい５〜１０，０００ｃＳｔの粘度を有し、有機変性シリコーンの重量に対し１０−３０％のシロキサンポリマー、及びシリコーン樹脂を含む消泡剤組成物であって、消泡剤組成物が、２５０〜２０，０００ｃＳｔの粘度を有し、シリカに対する有機変性シリコーンの比が２：１〜５００：１であり、組成物の全重量に対し、有機変性シリコーンを４０−７５％、シリコーン樹脂を１．５−４．０％、シリカを３−６％、及び溶剤を０．１−８％含む消泡剤、消泡剤組成物、及び消泡剤組成物を製造、使用する方法。【選択図】なし【特許請求の範囲】
【請求項１】
ａ）２−フェニルプロピルメチル部分を１〜７５モル％含む有機変性シリコーン、
ｂ）シリカ、
ｃ）シロキサンポリマーであって、該シロキサンポリマーが、Ｂｒｏｏｋｆｉｅｌｄ粘度計により２２℃±２℃で測定された０．５ｃＳｔ〜１０，０００ｃＳｔの粘度を有し、前記シロキサンポリマーが前記有機変性シリコーンの粘度より小さい粘度を有し、前記有機変性シリコーンの重量に対し１０−３０％のシロキサンポリマー、及び
ｄ）シリコーン樹脂、
を含む消泡剤組成物であり、該消泡剤組成物が、２５℃，２０ｓｅｃ−１のせん断速度において２５０ｃＳｔ〜２０，０００ｃＳｔの粘度を有し、シリカに対する有機変性シリコーンの比が２：１〜５００：１であり、
前記組成物が、組成物の全重量に対し、
前記有機変性シリコーンを４０−７５％、
前記シリコーン樹脂を１．５−４．０％、
前記シリカを３−６％、及び
ｅ）溶剤を０．１−８％、
を含むものであることを特徴とする消泡剤組成物。
【請求項２】
前記シロキサンポリマーは、Ｂｒｏｏｋｆｉｅｌｄ粘度計により２２℃±２℃で測定された０．５ｃＳｔ〜１，０００ｃＳｔの粘度を有し、ポリジメチルシロキサンポリマーを含むものであることを特徴とする請求項１に記載の消泡剤組成物。
【請求項３】
有機変性シリコーンに対するシロキサンポリマーの比は１：５〜４：１であることを特徴とする請求項１に記載の消泡剤組成物。
【請求項４】
前記有機変性シリコーンは、下記式（Ｉ）で示される単位を含むものであることを特徴とする請求項１に記載の消泡剤組成物：
Ｒａ（Ｒ１Ｏ）ｂＲ２ｃＳｉＯ（４−ａ−ｂ−ｃ）／２                    式（Ｉ）
式中、
ａ）Ｒはそれぞれ独立に水素原子、脂肪族基を介してケイ素に共有結合した芳香族炭化水素基、又はヘテロ原子を含んでいてもよく置換されていてもよいＳｉＣ−結合した１価の脂肪族炭化水素基から選ばれる；
ｂ）Ｒ１はそれぞれ独立に水素原子又はヘテロ原子を含んでいてもよく置換されていてもよい１価の脂肪族炭化水素基から選ばれる；
ｃ）Ｒ２はそれぞれ独立に水素原子、脂肪族基を介してケイ素に共有結合した芳香族炭化水素基、環炭素原子を介してケイ素原子に結合した置換されていてもよい１価の芳香族炭化水素基、ヘテロ原子を含んでいてもよく置換されていてもよいＳｉＣ−結合した１価の脂肪族炭化水素基からなる群から選ばれる；
ｄ）指数ａは０，１，２，又は３である；
ｅ）指数ｂは０，１，２，又は３である；
ｆ）指数ｃは０，１，２，又は３である；
ただし、ａ＋ｂ＋ｃの和は０から３の整数である。
【請求項５】
前記有機変性シリコーンは、下記式（Ｉ）で示される単位を含むものであることを特徴とする請求項２に記載の消泡剤組成物：
Ｒａ（Ｒ１Ｏ）ｂＲ２ｃＳｉＯ（４−ａ−ｂ−ｃ）／２                    式（Ｉ）
式中、
ａ）Ｒはそれぞれ独立に水素原子、脂肪族基を介してケイ素に共有結合した芳香族炭化水素基、又はヘテロ原子を含んでいてもよく置換されていてもよいＳｉＣ−結合した１価の脂肪族炭化水素基から選ばれる；
ｂ）Ｒ１はそれぞれ独立に水素原子又はヘテロ原子を含んでいてもよく置換されていてもよい１価の脂肪族炭化水素基から選ばれる；
ｃ）Ｒ２はそれぞれ独立に水素原子、脂肪族基を介してケイ素に共有結合した芳香族炭化水素基、環炭素原子を介してケイ素原子に結合した置換されていてもよい１価の芳香族炭化水素基、ヘテロ原子を含んでいてもよく置換されていてもよいＳｉＣ−結合した１価の脂肪族炭化水素基からなる群から選ばれる；
ｄ）指数ａは０，１，２，又は３である；
ｅ）指数ｂは０，１，２，又は３である；
ｆ）指数ｃは０，１，２，又は３である；
ただし、ａ＋ｂ＋ｃの和は０から３の整数である。
【請求項６】
前記有機変性シリコーンは、下記式（Ｉ）で示される単位を含むものであることを特徴とする請求項３に記載の消泡剤組成物：
Ｒａ（Ｒ１Ｏ）ｂＲ２ｃＳｉＯ（４−ａ−ｂ−ｃ）／２                    式（Ｉ）
式中、
ａ）Ｒはそれぞれ独立に水素原子、脂肪族基を介してケイ素に共有結合した芳香族炭化水素基、又はヘテロ原子を含んでいてもよく置換されていてもよいＳｉＣ−結合した１価の脂肪族炭化水素基から選ばれる；
ｂ）Ｒ１はそれぞれ独立に水素原子又はヘテロ原子を含んでいてもよく置換されていてもよい１価の脂肪族炭化水素基から選ばれる；
ｃ）Ｒ２はそれぞれ独立に水素原子、脂肪族基を介してケイ素に共有結合した芳香族炭化水素基、環炭素原子を介してケイ素原子に結合した置換されていてもよい１価の芳香族炭化水素基、ヘテロ原子を含んでいてもよく置換されていてもよいＳｉＣ−結合した１価の脂肪族炭化水素基からなる群から選ばれる；
ｄ）指数ａは０，１，２，又は３である；
ｅ）指数ｂは０，１，２，又は３である；
ｆ）指数ｃは０，１，２，又は３である；
ただし、ａ＋ｂ＋ｃの和は０から３の整数である。
【請求項７】
前記シリカは、疎水性沈降シリカ及び疎水性フュームドシリカのいずれかもしくは両方を含むものであることを特徴とする請求項１に記載の消泡剤組成物。
【請求項８】
前記シリカは、疎水性沈降シリカ及び疎水性フュームドシリカのいずれかもしくは両方を含むものであることを特徴とする請求項２に記載の消泡剤組成物。
【請求項９】
前記シリカは、疎水性沈降シリカ及び疎水性フュームドシリカのいずれかもしくは両方を含むものであることを特徴とする請求項３に記載の消泡剤組成物。
【請求項１０】
前記シロキサンポリマーは、Ｂｒｏｏｋｆｉｅｌｄ粘度計により２２℃±２℃で測定された２０ｃＳｔ未満の粘度を有し、前記シロキサンポリマーはポリジメチルシロキサンを含むものであることを特徴とする請求項１に記載の消泡剤組成物。
【請求項１１】
前記シロキサンポリマーは、Ｂｒｏｏｋｆｉｅｌｄ粘度計により２２℃±２℃で測定された２０ｃＳｔ未満の粘度を有し、前記シロキサンポリマーはポリジメチルシロキサンを含むものであることを特徴とする請求項２に記載の消泡剤組成物。
【請求項１２】
前記シロキサンポリマーは、Ｂｒｏｏｋｆｉｅｌｄ粘度計により２２℃±２℃で測定された２０ｃＳｔ未満の粘度を有し、前記シロキサンポリマーはポリジメチルシロキサンを含むものであることを特徴とする請求項３に記載の消泡剤組成物。
【請求項１３】
前記シリコーン樹脂は、下記式（ＩＩ）で示される単位を含むものであることを特徴とする請求項１に記載の消泡剤組成物：
Ｒ３ｄ（Ｒ４Ｏ）ｅＳｉＯ（４−ｄ−ｅ）／２                        式（ＩＩ）
式中、
ａ）Ｒ３はそれぞれ独立に水素原子、ヘテロ原子を含んでいてもよく置換されていてもよいＳｉＣ−結合した１価の脂肪族炭化水素基、又は脂肪族基を介してケイ素に共有結合した芳香族炭化水素基から選ばれる；
ｂ）Ｒ４はそれぞれ独立に水素原子又はヘテロ原子を含んでいてもよく置換されていてもよい１価の脂肪族炭化水素基から選ばれる；
ｃ）指数ｄは０，１，２，又は３である；並びに
ｄ）指数ｅは０，１，２，又は３である；
ただし、ｄ＋ｅの和は０から３の整数である。
【請求項１４】
シリカに対する有機変性シリコーンの比は、８：１〜１５：１であることを特徴とする請求項１に記載の消泡剤組成物。
【請求項１５】
前記消泡剤組成物は、固体の形状のものであり、粉末、凝集物、及びこれらの混合物からなる群から選ばれる形状のものであることを特徴とする請求項１に記載の消泡剤組成物。
【請求項１６】
前記消泡剤組成物における有機変性シリコーンは、２−フェニルプロピルメチル部分を２０〜３３モル％含むものであることを特徴とする請求項１に記載の消泡剤組成物。
【請求項１７】
請求項１に記載の消泡剤組成物及び補助成分を含み、衣類及びホームケア製品ではないものであることを特徴とする製品。
【発明の詳細な説明】
【技術分野】
【０００１】
本出願は、消泡剤組成物、及びこのような組成物を製造及び使用する方法、並びにこのような組成物を含む消費者製品及びこの製品の使用方法に関する。
【背景技術】
【０００２】
洗浄及び／又は処理組成物には、泡を生じる材料が使用されうる。特定の洗浄及び／又は処理組成物においては、泡の量が所望より多い。泡の量を減らす方法の１つとして、消泡剤を洗浄及び／又は処理組成物に添加する方法がある。あいにく、高粘度のシリコーンを含む消泡剤組成物は効果が大きいが、このような組成物は、洗浄及び／又は処理組成物等の消費者製品に混合する前に乳化しなければならない。乳化工程を避けるために、消泡剤組成物に低粘度のシリコーンが使用されてきている。あいにく、そのような消泡剤組成物はそれほど効果的な消泡剤にならない。結果として、高粘度のシリコーンと組み合わせて、希釈剤が使用されてきている。このような希釈剤は、対象の消泡剤の粘度を劇的に上昇させたり、消泡剤の粘度及び効果を低下させたり、あるいは消泡剤の成分に対して他の負の相互作用をしたりする。
【０００３】
出願人らは、このような希釈剤を使用することに関連する問題が、希釈剤がシリコーン成分に不溶であることや、希釈剤がこのようなシリコーン成分に可溶であったとしても、粘度の低下によって消泡剤の効果が減少することから生じていることを認識した。従って、出願人らは、純消泡剤の粘度を低下させる希釈剤を含み、消泡剤を消費者製品と混ぜ合わせたときに、消泡剤から消費者製品に移動する消泡剤組成物が必要であることを認識した。要約すると、ここで開示されている消泡剤組成物は、低粘性であり、その上所望の消泡効果を与える。
【発明の概要】
【０００４】
本出願は、消泡剤組成物、及びこのような組成物を製造及び使用する方法、並びにこのような組成物を含む消費者製品及びこの製品の使用方法に関する。このような消泡剤組成物であれば、低粘性であり、その上効果的な消泡剤となる。
【発明を実施するための形態】
【０００５】
定義
本明細書で用いる「消費者製品」は、販売される形態での使用又は消費用の、後続する商業的製造又は変更用ではない、ベビーケア、ビューティーケア、衣類及びホームケア、ファミリーケア、フェミニンケア、ヘルスケア、スナック、及び／又は飲料製品もしくは用具を意味する。こうした製品は、おむつ、よだれかけ、拭き取り用品；脱色、着色、染色、コンディショニング、シャンプー、スタイリングを含む毛髪（ヒト、イヌ、及び／又はネコ）の処理に関連する製品及び／又は方法；防臭剤及び制汗剤；パーソナルクレンジング；化粧品；消費者使用のためのクリーム、ローション、及び他の局所適用製品の適用等のスキンケア；ならびにシェービング製品、空気ケア、車ケア、食器洗浄、布地コンディショニング（柔軟化など）、洗濯洗浄、洗濯及びすすぎ添加剤及び／又はケア、硬質表面洗浄及び／又は処理、並びに消費者用又は業務用の他の洗浄等の、布地、硬質表面、並びに衣類及びホームケア分野の任意の他の表面の処理に関連する製品及び／又は方法；トイレットペーパー、フェイシャルティッシュ、紙ハンカチ、及び／又は紙タオルに関連する製品及び／又は方法；練り歯磨き、歯用ジェル、歯用リンス、義歯接着剤、歯ホワイトニング等の口腔ケアに関連する製品及び／又は方法；鎮痛剤、ペットヘルスと栄養、及び水精製等の店頭販売のヘルスケアを包含するが、これらに限定されない。
【０００６】
本明細書で使用するとき、用語「洗浄及び／又は処理組成物」は、特記がない限り、単位容量の、顆粒又は粉末状の多目的即ち「強力」洗浄剤、特にクリーニング洗剤；液体、ゲル又はペースト状の多目的洗浄剤、特にいわゆる強力液体型；液体高級衣類用洗剤；手洗い用食器洗い洗剤又は軽質食器洗い洗剤、特に泡立ちの良いもの；家庭用や業務用の各種錠剤、顆粒、液体、及びリンスエイド型等の食器洗い機用洗剤；抗菌手洗い用洗剤、手洗い石鹸、口腔洗浄液、入れ歯洗浄剤、歯磨き剤、自動車又はカーペット用シャンプー、浴室用洗剤等の液状の洗浄殺菌剤；ヘアシャンプー及びヘアリンス；シャワー用ジェル、入浴剤、及び金属洗浄剤；並びに漂白添加剤及び「染み抜きスティック」等のクリーニング補助剤、又はドライヤー付与製品、乾燥及び湿潤型拭き取り布、パッド、不織基材、及びスポンジ等の前処理型基材付与製品；並びにスプレー剤及びミスト剤を包含する。
【０００７】
本明細書で使用するとき、用語「衣類ケア組成物」は、特記がない限り、衣類柔軟化組成物、衣類向上組成物、衣類消臭組成物、及びこれらの組み合わせを包含する。
【０００８】
本明細書で使用するとき、冠詞「ａ」及び「ａｎ」は、特許請求の範囲で使用されるとき、請求又は記載されるもののうち１つ以上を意味するものと理解される。
【０００９】
本明細書で使用するとき、用語「包含する（ｉｎｃｌｕｄｅ）」、「包含する（ｉｎｃｌｕｄｅｓ）」、及び「包含している（ｉｎｃｌｕｄｉｎｇ）」は、「包含しているが限定されない」と同義の意味である。
【００１０】
本明細書で使用するとき、用語「固体状」は、顆粒、粉末、棒、及び錠剤の製品形態を意味する。
【００１１】
本明細書で使用するとき、用語「部位」は紙製品、衣類、衣服、硬質表面、毛髪、及び皮膚を包含する。
【００１２】
本明細書で消泡剤及びこれを含む消費者製品の有機変性シリコーン成分について記載及び／又は表記して使用するとき、２−フェニルプロピルメチル部分は、（メチル）（２−フェニルプロピル）、（２−フェニルプロピル）メチル、メチル（２−フェニルプロピル）、メチル（β−メチルフェネチル）、２−フェニルプロピルメチル（２−ｐｈｅｎｙｌｐｒｏｐｙｌｍｅｔｈｙｌ）、２−フェニルプロピルメチル（２−ｐｈｅｎｙｌｐｒｏｐｙｌＭｅｔｈｙｌ）、メチル  ２−フェニルプロピル、及びＭｅ  ２−フェニルプロピルと同義である。従って、有機変性シリコーンは、例として、以下のように命名することができる：
（メチル）（２−フェニルプロピル）シロキサン
（メチル）（２−フェニルプロピル）  シロキサン
（２−フェニルプロピル）メチルシロキサン
（２−フェニルプロピル）メチル  シロキサン
メチル（２−フェニルプロピル）シロキサン
メチル（２−フェニルプロピル）  シロキサン
メチル（β−メチルフェネチル）シロキサン
メチル（β−メチルフェネチル）  シロキサン
２−フェニルプロピルメチルシロキサン（２−ｐｈｅｎｙｌｐｒｏｐｙｌｍｅｔｈｙｌｓｉｌｏｘａｎｅ）
２−フェニルプロピルメチル  シロキサン（２−ｐｈｅｎｙｌｐｒｏｐｙｌｍｅｔｈｙｌ  ｓｉｌｏｘａｎｅ）
２−フェニルプロピルメチルシロキサン（２−ｐｈｅｎｙｌｐｒｏｐｙｌＭｅｔｈｙｌｓｉｌｏｘａｎｅ）
２−フェニルプロピルメチル  シロキサン（２−ｐｈｅｎｙｌｐｒｏｐｙｌＭｅｔｈｙｌ  ｓｉｌｏｘａｎｅ）
メチル  ２−フェニルプロピルシロキサン
メチル  ２−フェニルプロピル  シロキサン
Ｍｅ  ２−フェニルプロピルシロキサン
Ｍｅ  ２−フェニルプロピル  シロキサン。
【００１３】
本明細書で使用するとき、ヘテロ原子という用語は、普通の、通例の意味をとるものであり、このため、Ｎ、Ｏ、Ｓ、Ｐ、Ｃｌ、Ｂｒ、及びＩを包含する。
【００１４】
特記がない限り、構成成分又は組成物の濃度は全て、当該構成成分又は組成物の活性成分に関するものであり、このような構成成分や組成物の市販の供給源に存在し得る不純物、例えば残留溶剤又は副生成物は除外される。
【００１５】
全ての百分率及び比は、特記がない限り、重量で計算されている。全ての百分率及び比は、特記がない限り、組成物全体を基準にして計算されている。
【００１６】
本明細書全体を通じて記載されているあらゆる最大数値限定は、それよりも小さいあらゆる数値限定を包含し、こうしたそれよりも小さい数値限定が本明細書に明確に記載されているように解されるべきである。本明細書全体を通じて記載されているあらゆる最小数値限定は、こうしたそれよりも大きい数値限定が本明細書に明確に記載されているようにそれよりも大きいあらゆる数値限定を包含する。本明細書全体を通じて記載されているあらゆる数値範囲は、こうしたより広い数値範囲に入る、それよりも狭いあらゆる数値範囲を、こうしたそれよりも狭い数値範囲が全て本明細書に明確に記載されているように包含する。
【００１７】
消泡剤組成物及びこれを含む組成物
ａ）２−フェニルプロピルメチル部分を１個以上、好ましくは１〜７５モル％、より好ましくは５〜５０モル％、より好ましくは５〜４０モル％、最も好ましくは１５〜３５モル％含む有機変性シリコーン；１つの態様では、前記有機変性シリコーンは、２−フェニルプロピルメチル部分を２０〜３３モル％含み；
ｂ）シリカ、
ｃ）シロキサンポリマーであって、該シロキサンポリマーが約０．８以上、より好ましくは０．８５以上、より好ましくは０．９以上、より好ましくは０．９５以上、０．９８以上、及び好ましくは１．２５未満の溶解度指数を有し、約０．５ｃＳｔ〜約１０，０００ｃＳｔ、約０．５ｃＳｔ〜約５，０００ｃＳｔ、約０．５ｃＳｔ〜約１，０００ｃＳｔ、約２ｃＳｔ〜約１，０００ｃＳｔ、好ましくは約１ｃＳｔ〜約７５０ｃＳｔ、より好ましくは約１ｃＳｔ〜約５００ｃＳｔ、より好ましくは約１ｃＳｔ〜約１００ｃＳｔ、最も好ましくは約１ｃＳｔ〜約２０ｃＳｔの粘度を有し、前記シロキサンポリマーが前記有機変性シリコーンの粘度の約５％、約１０％、約２０％、約４０％、約５０％、約６０％、約７５％、約９０％、約９９％、前記有機変性シリコーンの粘度より小さい粘度を有するシロキサンポリマー、及び
ｄ）シリコーン樹脂、
を含む消泡剤組成物であり、該消泡剤組成物が、２５℃，２０ｓｅｃ−１のせん断速度において約２５０ｃＳｔ〜約２０，０００ｃＳｔ、好ましくは約５００ｃＳｔ〜約１０，０００ｃＳｔ、より好ましくは約１，０００ｃＳｔ〜約７，０００ｃＳｔ、最も好ましくは約１，０００ｃＳｔ〜約４，０００ｃＳｔの粘度を有し、シリカに対する有機変性シリコーンの比が約２：１〜約５００：１、好ましくは約３：１〜約１００：１、より好ましくは約４：１〜約７０：１、最も好ましくは約５：１〜約５０：１である消泡剤組成物。
【００１８】
前記消泡剤組成物の１つの態様では、前記シロキサンポリマーは、約０．５ｃＳｔ〜約１，０００ｃＳｔ、好ましくは約１ｃＳｔ〜約７５０ｃＳｔ、より好ましくは約１ｃＳｔ〜約５００ｃＳｔ、より好ましくは約１ｃＳｔ〜約１００ｃＳｔ、最も好ましくは約１ｃＳｔ〜約２０ｃＳｔの粘度を有するポリジメチルシロキサンポリマーを含むものである。
【００１９】
前記消泡剤組成物の１つの態様では、前記消泡剤組成物において、有機変性シリコーンに対するシロキサンポリマーの比が１：５〜４：１、好ましくは１：４．５〜３：２、より好ましくは１：４〜２：３であり、１つの態様では、前記有機変性シリコーンに対するシロキサンポリマーの比が１：５〜１：３である。
【００２０】
前記消泡剤組成物の１つの態様では、前記有機変性シリコーンは下記式（Ｉ）で示される単位を含むものである：
Ｒａ（Ｒ１Ｏ）ｂＲ２ｃＳｉＯ（４−ａ−ｂ−ｃ）／２                    式（Ｉ）
式中、
ａ）Ｒはそれぞれ独立に水素原子、脂肪族基を介してケイ素に共有結合した芳香族炭化水素基、又はヘテロ原子を含んでいてもよく置換されていてもよいＳｉＣ−結合した１価の脂肪族炭化水素基から選ばれる；
ｂ）Ｒ１はそれぞれ独立に水素原子又はヘテロ原子を含んでいてもよく置換されていてもよい１価の脂肪族炭化水素基から選ばれる；
ｃ）Ｒ２はそれぞれ独立に水素原子、脂肪族基を介してケイ素に共有結合した芳香族炭化水素基、環炭素原子を介してケイ素原子に結合した置換されていてもよい１価の芳香族炭化水素基、ヘテロ原子を含んでいてもよく置換されていてもよいＳｉＣ−結合した１価の脂肪族炭化水素基からなる群から選ばれる；
ｄ）指数ａは０，１，２，又は３である；
ｅ）指数ｂは０，１，２，又は３である；
ｆ）指数ｃは０，１，２，又は３である；
ただし、ａ＋ｂ＋ｃの和は０から３の整数である。
【００２１】
前記消泡剤組成物の１つの態様では、前記シリカは、疎水性沈降シリカ及び疎水性フュームドシリカのいずれかもしくは両方を含むものである。
【００２２】
前記消泡剤組成物の１つの態様では、前記シロキサンポリマーは、２０ｃＳｔ未満、好ましくは約０．５ｃＳｔ〜約１９ｃＳｔ、より好ましくは約１ｃＳｔ〜約１５ｃＳｔ、最も好ましくは約１．５ｃＳｔ〜約１２ｃＳｔの粘度を有し、好ましくは、前記シロキサンポリマーはポリジメチルシロキサンを含むものである。
【００２３】
前記消泡剤組成物の１つの態様では、前記シリコーン樹脂は、下記式（ＩＩ）で示される単位を含むものである：
Ｒ３ｄ（Ｒ４Ｏ）ｅＳｉＯ（４−ｄ−ｅ）／２                        式（ＩＩ）
式中、
ａ）Ｒ３はそれぞれ独立に水素原子、ヘテロ原子を含んでいてもよく置換されていてもよいＳｉＣ−結合した１価の脂肪族炭化水素基、又は脂肪族基を介してケイ素に共有結合した芳香族炭化水素基から選ばれる；
ｂ）Ｒ４はそれぞれ独立に水素原子又はヘテロ原子を含んでいてもよく置換されていてもよい１価の脂肪族炭化水素基から選ばれる；
ｃ）指数ｄは０，１，２，又は３である；並びに
ｄ）指数ｅは０，１，２，又は３である；
ただし、ｄ＋ｅの和は０から３の整数である。
【００２４】
前記消泡剤組成物の１つの態様では、前記消泡剤組成物は、消泡剤組成物の全重量に対し、
ａ）有機変性シリコーンを５０−７５％、
ｂ）シリコーン樹脂を１．５−４．０％、
ｃ）シロキサンポリマーを１５−４０％、
ｄ）シリカを４−８％、及び
ｅ）溶剤を０−４％、
を含むものである。
【００２５】
１つの態様では、前記溶剤は、シロキサン、他のシリコーン、炭化水素、グリコールエーテル、グリセリンエーテル等のグリセリン誘導体、パーフルオロ化されたアミン、パーフルオロ化されたヒドロフルオロエーテル溶剤、低揮発性の非フルオロ化有機溶剤、ジオール溶剤、アルキルエステル、及びこれらの混合物を包含する親油性の流体からなる群から選択されてよい。メタノール、エタノール、プロパノール、及びイソプロパノールに例示される低分子量の１級又は２級アルコールも適している。界面活性剤を可溶化するために、いくつかの例において、ヒドロキシ基１個を含むアルコールが使用でき、炭素原子を２〜約６、ヒドロキシ基を２〜約６含むポリオール（例えば、１，３−プロパンジオール、エチレングリコール、グリセリン、及び１，２−プロパンジオール）のようなポリオールも使用できる。モノエタノールアミン、ジエタノールアミン、トリエタノールアミンのようなアミン含有溶剤も使用できる。
【００２６】
前記消泡剤組成物の１つの態様では、シリカに対する有機変性シリコーンの比は、約８：１〜約１５：１である。
【００２７】
前記消泡剤組成物の１つの態様では、前記消泡剤組成物が、組成物の全重量に対し、
ａ）有機変性シリコーンを約３５％〜約７５％、好ましくは約４０％〜約７５％、より好ましくは約５０％〜約７５％、
ｂ）シリコーン樹脂を約１．５％〜約４．０％、
ｃ）シリカを約２％〜約８％、好ましくは約３％〜約６％、より好ましくは約４％〜約５％、好ましくは前記シリカは疎水性のものを含み、
ｄ）溶剤を０％〜約１０％、好ましくは約０．１％〜約８％、より好ましくは約１％〜約５％、及び
ｅ）前記有機変性シリコーンの重量に対しシロキサンポリマーを１０％以上、１０％〜約３０％、好ましくは約１４％〜約２７％、より好ましくは約１５％〜約２６％、最も好ましくは約１６％〜約２６％；又は前記有機変性シリコーンの重量に対しシロキサンポリマーを２０％以上、３０％〜約８０％、好ましくは約４０％〜約７０％、より好ましくは約４５％〜約６０％、
を含むものである。
【００２８】
前記消泡剤組成物の１つの態様では、固体の形状のものであり、好ましくは粉末、凝集物、及びこれらの混合物からなる群から選ばれる形状のものである。
【００２９】
前述のいずれかの請求項の消泡剤組成物及び補助成分を含む製品が開示されているが、前記製品は衣類及びホームケア製品ではない。 
【００３０】
前記消泡剤組成物の１つの態様では、前記消泡剤組成物における有機変性シリコーンは、２−フェニルプロピルメチル部分を２０〜３３モル％含むものであり、及び／又は前記有機変性シリコーンに対するシロキサンポリマーの比は１：５〜１：３であり、前記消費者製品は洗剤及び／又は衣類柔軟剤である。
【００３１】
前記消泡剤組成物の１つの態様では、Ｒ２がそれぞれ独立に水素原子、脂肪族基を介してケイ素に共有結合した芳香族炭化水素基、環炭素原子を介してケイ素原子に結合した置換されていてもよい１価の芳香族炭化水素基、ヘテロ原子を含んでいてもよく置換されていてもよいＳｉＣ−結合した１価の脂肪族炭化水素基、Ｓｉ−Ｘ−Ｃ−結合した置換されていてもよい１価の脂肪族炭化水素基（Ｘはヘテロ原子であり、好ましくは硫黄、窒素、又はリンである。）、−ＳＨ、及び−ＮＨ２からなる群から選ばれ、前記消費者製品は洗剤及び／又は衣類柔軟剤である。
【００３２】
製造方法
本明細書で開示及び／又は請求された消泡剤組成物は、実施例を含む本明細書の教示に基づいて製造できる。１つの態様では、シリカがｉｎ  ｓｉｔｕでの疎水化を必要とするとき、消泡剤組成物の生産プロセスには、カリウムメトキシド、水酸化カリウム、ナトリウムメトキシド、及び水酸化ナトリウム等の適切な触媒の存在下で、昇温状態でシリカ、有機変性シリコーン、シリコーン樹脂、及び／又は他の処理剤を混合する加熱工程を含めることができる。
【００３３】
本明細書で開示及び／又は請求された製品は、実施例を含む本明細書の教示に基づいて製造できる。１つの態様では、そうした消費者製品は、本明細書で開示及び／又は請求された消泡剤組成物の１つ以上を補助成分と組み合わせることで製造できる。
【００３４】
使用方法
１つの態様では、ある部位を処理及び／又は洗浄する方法であって、前記方法として
ａ）任意で前記部位の洗浄及び／又はすすぎを行うこと；
ｂ）前記部位を本明細書に開示又は請求されている消泡剤組成物及び／又は消費者製品と接触させること；
ｃ）任意により前記部位の洗浄及び／又はすすぎを行うこと；及び
ｄ）任意により受動的又は能動的乾燥によって前記部位を乾燥すること、
を含む方法が開示される。
【００３５】
補助材料
本発明の消費者製品の各形態には必須ではないが、以下に例示される補助剤の非限定的な一覧は、本消費者製品の使用に好適であり、例えば、性能を補助もしくは向上させるために、洗浄される基材の処理のために、又は香料、着色剤、染料等を用いる場合のように組成物の審美性を変化させるために、望ましくは本発明の特定の形態に配合することができる。このような追加成分の明確な性質、及びこの配合量は、組成物の物理的形態及び使用されるべき作業の性質に依存する。好適な補助材料としては、特に限定されるものではないが、界面活性剤、着色ケア高分子、堆積助剤、界面活性増進ポリマー、ｐＨ調整剤、 製品着色安定化剤、防腐剤、溶剤、ビルダー、キレート剤、移染防止剤、分散剤、酵素、及び酵素安定剤、触媒物質、漂白剤、漂白活性化剤、ポリマー系分散剤、粘土汚れ防止／再汚染防止剤、増白剤、抑泡剤、染料、ＵＶ吸収剤、香料及び香料送達系、構造伸縮剤、増粘剤／構造化剤、布地柔軟剤、キャリア、ヒドロトロープ、オリゴアミン、加工助剤、色相剤、及び／又は顔料が挙げられる。
【００３６】
上述の通り、補助成分は本発明の消費者製品の各形態に必須のものではない。従って、出願人らの組成物の特定の形態は、以下の補助材料の１つ以上を含有しない：界面活性剤、着色ケア高分子、堆積助剤、界面活性増進ポリマー、ｐＨ調整剤、製品着色安定化剤、防腐剤、溶剤、ビルダー、 キレート剤、移染防止剤、分散剤、酵素、及び酵素安定剤、触媒物質、漂白剤、漂白活性化剤、ポリマー系分散剤、粘土汚れ防止／再汚染防止剤、増白剤、抑泡剤、染料、ＵＶ吸収剤、香料及び香料送達系、構造伸縮剤、増粘剤／構造化剤、布地柔軟剤、キャリア、ヒドロトロープ、オリゴアミン、加工助剤、色相剤、及び／又は顔料。一方、１つ以上の補助剤が含まれる場合、このような１つ以上の補助剤は、以下に詳細に記載されるように含まれてもよい。
【００３７】
界面活性剤
いくつかの例においては、追加の界面活性剤は、１つ以上のアニオン性界面活性剤を含む。いくつかの例においては、追加の界面活性剤は、１つ以上のアニオン性界面活性剤からなることを必須としてもよいし、更には１つ以上のアニオン性界面活性剤からなるものとしてもよい。
【００３８】
好適なアニオン性界面活性剤の、具体的、非限定的な例には、いずれの慣用的なアニオン性界面活性剤も包含される。これには、例えばアルコキシル化された及び／又は非アルコキシル化のアルキルサルフェート材料のようなサルフェート系洗浄性界面活性剤及び／又は例えばアルキルベンゼンスルホネートのような、スルホン系洗浄性界面活性剤が包含されうる。
【００３９】
アルコキシル化アルキルサルフェート材料は、アルキルエーテルサルフェート又はアルキルポリエトキシル化サルフェートとしても知られている、エトキシル化アルキルサルフェート界面活性剤を含む。エトキシル化アルキルサルフェートの例としては、水溶性塩、特に、分子構造中に炭素原子を約８〜約３０個含むアルキル基、スルホン酸、及びその塩を有する有機硫黄反応生成物のアルカリ金属、アンモニウム、及びアルキロールアンモニウム塩が挙げられる。用語「アルキル」には、アシル基のアルキル部位が包含される。いくつかの例においては、アルキル基は炭素原子を約１５〜約３０個含む。他の例においては、アルキルエーテルサルフェート界面活性剤はアルキルエーテルサルフェートの混合物であってよく、前記混合物は平均（相加平均）の炭素鎖の長さが炭素原子約１２〜３０個の範囲内であり、いくつかの例においては、平均の炭素鎖の長さが炭素原子約１２〜１５個であり、また、平均（相加平均）エトキシル化度はエチレンオキシド約１モル〜４モルであり、また、いくつかの例においては、平均（相加平均）エトキシル化度はエチレンオキシド約１．８モル〜約４モルである。さらなる例においては、アルキルエーテルサルフェート界面活性剤は、炭素鎖の長さが炭素原子約１０〜約１８個の間であってよく、エチレンオキシドのエトキシル化度が約１〜約６モルであってよい。よりさらなる例においては、アルキルエーテルサルフェート界面活性剤はピークを有するエトキシル化分布を含んでいてもよい。
【００４０】
非エトキシル化アルキルサルフェートもまた、開示された洗浄組成物に添加されてよく、アニオン性界面活性剤成分として使用されてもよい。非アルコキシル化（例えば、非エトキシル化）アルキルサルフェート界面活性剤の例としては、Ｃ８−Ｃ２０の高級脂肪族アルコールのサルフェート化によって産生されたものが挙げられる。いくつかの例においては、１級アルキルサルフェート界面活性剤は一般式：ＲＯＳＯ３−Ｍ＋（式中、Ｒは主に線状のＣ８−Ｃ２０のヒドロカルビル基であり、直鎖状又は分岐鎖状であってもよく、Ｍは水溶性カチオンである。）を有するものである。いくつかの例においては、ＲはＣ１０−Ｃ１５のアルキルであり、Ｍはアルカリ金属である。他の例においては、ＲはＣ１２−Ｃ１４のアルキルであり、Ｍはナトリウムである。
【００４１】
他の有用なアニオン性界面活性剤としては、アルキル基が炭素原子を約９〜約１５個含み、直鎖状（線状）又は分岐鎖状の形状である、アルキルベンゼンスルホネートのアルカリ金属塩を挙げることができ、例えば米国特許第２，２２０，０９９号及び同第２，４７７，３８３号に記載のタイプがある。いくつかの例においては、アルキル基は線状である。このような線状のアルキルベンゼンスルホネートは「ＬＡＳ」として知られている。他の例においては、線状のアルキルベンゼンスルホネートは、アルキル基の平均炭素原子数が約１１〜１４個であってもよい。具体的な例においては、線状で直鎖状のアルキルベンゼンスルホネートは、アルキル基の平均炭素原子数が約１１．８個であってよく、これはＣ１１．８  ＬＡＳと省略されうる。
【００４２】
好適なアルキルベンゼンスルホネート（ＬＡＳ）は、市販の線状のアルキルベンゼン（ＬＡＢ）をスルホネート化することで得ることができ；好適なＬＡＢとしては、ＳａｓｏｌからＩｓｏｃｈｅｍ（登録商標）の商品名又はＰｅｔｒｅｓａからＰｅｔｒｅｌａｂ（登録商標）の商品名で供給されているような低級２−フェニルＬＡＢが挙げられ、他の好適なＬＡＢとしては、ＳａｓｏｌからＨｙｂｌｅｎｅ（登録商標）の商品名で供給されているような高級２−フェニルＬＡＢが挙げられる。ＨＦ等の他の合成経路も好適であるが、好適なアニオン性洗浄性界面活性剤は、ＤＥＴＡＬ触媒方法によって得られたアルキルベンゼンスルホネートである。１つの態様では、ＬＡＳのマグネシウム塩が用いられる。
【００４３】
洗浄性界面活性剤は、中鎖分岐状洗浄性界面活性剤であってもよく、１つの態様では、中鎖分岐状アニオン性洗浄性界面活性剤、１つの態様では、中鎖分岐状アルキルサルフェート及び／又は中鎖分岐状アルキルベンゼンスルホネート、例えば、中鎖分岐状アルキルサルフェートである。１つの態様では、中鎖分岐はＣ１−４のアルキル基であり、主にはメチル基及び／又はエチル基である。
【００４４】
本発明で有用な他のアニオン性界面活性剤は、炭素原子を約８〜約２４個（及びいくつかの例においては約１２〜１８個）含むパラフィンスルホネート及び２級アルカンスルホネートの水溶性塩；アルキルグリセリルエーテルスルホネート、特にＣ８−１８のアルコールのエーテル（例えば、獣脂及びヤシ油由来のもの）である。アルキルベンゼンスルホネートと上述のパラフィンスルホネート、２級アルカンスルホネート及びアルキルグリセリルエーテルスルホネートの混合物もまた有用である。さらに好適なアニオン性界面活性剤としては、メチルエステルスルホネート及びアルキルエーテルカルボキシレートが挙げられる。
【００４５】
アニオン性界面活性剤は酸形態で存在してもよく、酸形態が中和されて界面活性剤の塩を形成してもよい。典型的な中和剤としては、例えばＮａＯＨ又はＫＯＨ等の水酸化物のような金属対向イオン塩基が挙げられる。さらに好適な酸形態のアニオン性界面活性剤の中和剤としては、アンモニア、アミン、又はアルカノールアミンが挙げられる。アルカノールアミンの非限定的な例には、モノエタノールアミン、ジエタノールアミン、トリエタノールアミン、及び他の公知の線状又は分岐状のアルカノールアミンが包含される；好適なアルカノールアミンとしては、２−アミノ−１−プロパノール、１−アミノプロパノール、モノイソプロパノールアミン、又は１−アミノ−３−プロパノールが挙げられる。アミン中和は全部又は一部行なわれてよく、例えば、アニオン性界面活性剤混合物の一部分をナトリウム又はカリウムで中和してもよいし、アニオン性界面活性剤混合物の一部分をアミン又はアルカノールアミンで中和してもよい。
【００４６】
非イオン性界面活性剤
いくつかの態様においては、追加の界面活性剤は１つ以上の非イオン性界面活性剤を含む。特定の態様では、洗剤組成物は、１つ以上の非イオン性界面活性剤から選択される追加の界面活性剤を、組成物の重量で約０．１％〜約４０％含む。特定の態様では、洗剤組成物は、１つ以上の非イオン性界面活性剤から選択される追加の界面活性剤を、組成物の重量で、約０．１％〜約１５％含む。さらなる態様では、洗剤組成物は、１つ以上の非イオン性界面活性剤から選択される追加の界面活性剤を、組成物の重量で約０．３％〜約１０％含む。
【００４７】
本発明で有用な好適な非イオン性界面活性剤は、いずれの慣用的な非イオン性界面活性剤も含むことができる。これらとしては、例えば、アルコキシル化脂肪族アルコール及びアミンオキシド界面活性剤を挙げることができる。いくつかの例においては、洗浄組成物はエトキシル化非イオン性界面活性剤を含んでもよい。非イオン性界面活性剤は、式Ｒ（ＯＣ２Ｈ４）ｎＯＨ（式中、Ｒは、炭素原子を約８〜約１７個含む脂肪族炭化水素基及びアルキル基が炭素原子を約８〜約１２個含むアルキルフェニル基からなる群から選択され、ｎの平均値は約５〜約１５である）のエトキシル化アルコール及びエトキシル化アルキルフェノールから選択されうる。１つの例では、非イオン性界面活性剤は、アルコール中に炭素原子を平均約２４個有し、アルコール１モルあたりのエチレンオキシドの平均エトキシル化度が約９モルであるエトキシル化アルコールから選択される。
【００４８】
本発明で有用な非イオン性界面活性剤の他の非限定的な例としては：Ｓｈｅｌｌ製の非イオン性界面活性剤であるＮＥＯＤＯＬ（登録商標）のようなＣ８−Ｃ１８アルキルエトキシレート；アルコキシレート単位がエチレンオキシ単位、プロピレンオキシ単位、又はこれらの混合物であってもよいＣ６−Ｃ１２のアルキルフェノールアルコキシレート；ＢＡＳＦ製のＰｌｕｒｏｎｉｃ（登録商標）のような、エチレンオキシド／プロピレンオキシドのブロックポリマーとの、Ｃ１２−Ｃ１８のアルコール縮合物及びＣ６−Ｃ１２アルキルフェノール縮合物；Ｃ１４−Ｃ２２の中鎖分岐のアルコール、アルキルポリサッカライド、ポリヒドロキシ脂肪酸アミド及びエーテル末端保護ポリ（オキシアルキレート化）アルコール界面活性剤が挙げられる。
【００４９】
好適な非イオン性洗浄性界面活性剤としてはまた、アルキルポリグルコシド及びアルキルアルコキシル化アルコールが挙げられる。好適な非イオン性洗浄性界面活性剤としてはまた、ＢＡＳＦからＬｕｔｅｎｓｏｌ（登録商標）の商品名で販売されているものが挙げられる。
【００５０】
いくつかの態様では、非イオン性界面活性剤は、例えばＣ８−１８のアルキルエトキシル化アルコール等の、Ｃ８−１８のアルキルアルコキシル化アルコールのような、アルキルアルコキシル化アルコールから選択される。アルキルアルコキシル化アルコールは、平均アルコキシル化度が約１〜約５０、約１〜約３０、約１〜約２０、又は約１〜約１０であってよい。特定の態様では、アルキルアルコキシル化アルコールは、平均エトキシル化度が約１〜約１０、約１〜約７、約１〜約５、又は約３〜約７であるＣ８−１８のアルキルエトキシル化アルコールであってよい。アルキルアルコキシル化アルコールは線状又は分岐状であってよく、置換又は未置換であってよい。
【００５１】
カチオン性界面活性剤
いくつかの例においては、追加の界面活性剤は１つ以上のカチオン性界面活性剤を含む。
【００５２】
特定の態様においては、洗剤組成物は、１つ以上のカチオン性界面活性剤から選択される追加の界面活性剤を、組成物の重量で約０．１％〜約１０％含む。特定の態様においては、洗剤組成物は、１つ以上のカチオン性界面活性剤から選択される追加の界面活性剤を、組成物の重量で約０．１％〜約７％含む。さらなる態様においては、洗剤組成物は、１つ以上のカチオン性界面活性剤から選択される追加の界面活性剤を、組成物の重量で約０．３％〜約５％含む。いくつかの態様においては、本発明の洗浄組成物は、実質的にカチオン性界面活性剤、及びｐＨが７未満又はｐＨが６未満のカチオン性になる界面活性剤がないものである。
【００５３】
カチオン性界面活性剤の非限定的な例には：炭素原子を２６個まで有することができる４級アンモニウム界面活性剤が挙げられ：アルコキシレート４級アンモニウム（ＡＱＡ）界面活性剤、ジメチルヒドロキシエチルラウリルアンモニウムクロリド；ポリアミンカチオン性界面活性剤；カチオン性エステル界面活性剤及びアミノ界面活性剤、具体的にはアミドプロピルジメチルアミン（ＡＰＡ）及び／又はトリメチルアンモニウムＣ８−１６アルキル塩が挙げられる。
【００５４】
好適なカチオン性洗浄性界面活性剤としてはまた、アルキルピリジニウム化合物、アルキル４級アンモニウム化合物、アルキル４級ホスホニウム化合物、アルキル３級スルホニウム化合物、及びこれらの混合物が挙げられる。
【００５５】
好適なカチオン性洗浄性界面活性剤は、次の一般式を有する４級アンモニウム化合物である。
（Ｒ）（Ｒ１）（Ｒ２）（Ｒ３）Ｎ＋Ｘ−
式中、Ｒは線状又は分岐状、置換又は非置換のＣ６−１８アルキル又はアルケニル部分であり、Ｒ１及びＲ２は独立してメチル又はエチル部分から選択され、Ｒ３はヒドロキシル、ヒドロキシメチル、又はヒドロキシエチル部分であり、Ｘは電気的中性を付与するアニオンであり、好適なアニオンとしては、塩化物といったハロゲン化物、スルフェート、及びスルホネートが挙げられる。好適なカチオン性洗浄性界面活性剤は、モノ−Ｃ６−１８アルキルモノヒドロキシエチルジメチル４級アンモニウムクロリドである。非常に好適なカチオン性洗浄性界面活性剤は、モノ−Ｃ８−１０アルキルモノヒドロキシエチルジメチル４級アンモニウムクロリド、モノ−Ｃ１０−１２アルキルモノヒドロキシエチルジメチル４級アンモニウムクロリド、及びモノ−Ｃ１０アルキルモノヒドロキシエチルジメチル４級アンモニウムクロリドである。
【００５６】
双性イオン性界面活性剤
双性イオン性界面活性剤の例としては、２級及び３級アミン誘導体、複素環式２級及び３級アミン誘導体、又は４級アンモニウム化合物、４級ホスホニウム化合物、もしくは３級スルホニウム化合物の誘導体が挙げられる。具体的な例としては、アルキル基がＣ８〜Ｃ１８となることができ、特定の形態においてはＣ１０〜Ｃ１４となるＮ−アルキル−Ｎ，Ｎ−ジメチルアミノ−１−プロパンスルホネートのような、Ｃ８〜Ｃ１８（例えばＣ１２〜Ｃ１８）アミン酸化物並びにスルホ及びヒドロキシベタインが挙げられる。
【００５７】
両性界面活性剤
両性界面活性剤の例としては、２級もしくは３級アミンの脂肪族誘導体、又は複素環式の２級及び３級アミンの脂肪族誘導体が挙げられ、脂肪族基は直鎖状もしくは分岐鎖状であってよく、脂肪族置換基の１つは少なくとも炭素原子を約８個、典型的には炭素原子を約８〜約１８個含み、脂肪族置換基の少なくとも１つは例えばカルボキシ、スルホネート、スルフェート等のアニオン性水溶性基を含む。この定義の範囲内の化合物の例は、ナトリウム  ３−（ドデシルアミノ）プロピオネート、ナトリウム  ３−（ドデシルアミノ）プロパン−１−スルホネート、ナトリウム  ２−（ドデシルアミノ）エチルスルフェート、ナトリウム  ２−（ジメチルアミノ）オクタデカノエート、二ナトリウム  ３−（Ｎ−カルボキシメチルドデシルアミノ）プロパン１−スルホネート、二ナトリウム  オクタデシル−イミノジアセテート、ナトリウム  １−カルボキシメチル−２−ウンデシルイミダゾール、及びナトリウムＮ，Ｎ−ビス（２−ヒドロキシエチル）−２−スルファト−３−ドデコキシプロピルアミンである。好適な両性界面活性剤としてはまた、サルコシネート、グリシネート、タウリネート、及びこれらの混合物が挙げられる。
【００５８】
分岐状界面活性剤
いくつかの例においては、界面活性剤は分岐状界面活性剤であってよく、好適な分岐状界面活性剤としては、例えばＣ１−４アルキル基、典型的にはメチル基及び／又はエチル基等の１つ以上のランダムなアルキル分岐を含み、例えば分岐状アルキルスルフェート、分岐状アルキルアルコキシル化スルフェート、及び分岐状アルキルベンゼンスルホネート等の、分岐状スルフェート又は分岐状スルホネート界面活性剤から選ばれるアニオン性分岐状界面活性剤が挙げられる。
【００５９】
いくつかの態様においては、分岐状洗浄性界面活性剤は中鎖分岐状洗浄性界面活性剤であり、典型的には中鎖分岐状アニオン性洗浄性界面活性剤であり、例えば、中鎖分岐状アルキルスルフェート及び／又は中鎖分岐状アルキルベンゼンスルホネートである。いくつかの態様においては、洗浄性界面活性剤は中鎖分岐状アルキルスルフェートである。いくつかの態様においては、中鎖分岐はＣ１−４アルキル基であり、典型的にはメチル基及び／又はエチル基である。
【００６０】
酵素
本明細書に記載されている洗浄組成物は、洗浄性能及び／又は布地ケアの利点を付与する１つ以上の酵素を含んでいてもよい。好適な酵素の例としては、特に限定されないが、ヘミセルラーゼ、ペルオキシダーゼ、プロテアーゼ、セルラーゼ、キシラナーゼ、リパーゼ、キシログルカナーゼ、ホスホリパーゼ、エステラーゼ、クチナーゼ、ペクチナーゼ、マンナナーゼ、ペクテートリアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられる。典型的な組み合わせは、例えば、プロテアーゼ及びリパーゼとともにアミラーゼを含んでいてもよい酵素カクテルである。洗剤組成物中に存在する場合、上述の追加の酵素は、洗剤組成物の重量で、約０．００００１％〜約２％、約０．０００１％〜約１％、又はさらには約０．００１％〜約０．５％の量の酵素タンパク質が含まれてよい。
【００６１】
１つの態様では、好ましい酵素にはプロテアーゼが挙げられる。好適なプロテアーゼとしては、メタロプロテアーゼ及びセリンプロテアーゼが挙げられ、後者にはサブチリシン（ＥＣ  ３．４．２１．６２）等の、中性又はアルカリ性微生物セリンプロテアーゼが挙げられる。好適なプロテアーゼとしては、動物、植物、又は微生物起源のものが挙げられる。１つの態様では、このような好適なプロテアーゼは、微生物起源のものとすることができる。好適なプロテアーゼとしては、上述の好適なプロテアーゼの化学的又は遺伝子学的に改変された変異体が挙げられる。１つの態様では、好適なプロテアーゼは、アルカリ性微生物プロテアーゼ又は／及びトリプシン型プロテアーゼ等のセリンプロテアーゼとすることができる。好適な中性又はアルカリ性のプロテアーゼの例としては、以下のものが挙げられる：
（ａ）サブチリシン（ＥＣ  ３．４．２１．６２）（米国特許第６，３１２，９３６（Ｂ１）号、同第５，６７９，６３０号、同第４，７６０，０２５号、同第７，２６２，０４２号、及び国際公開第０９／０２１８６７号に記載の、バチルス・レンタス（Ｂａｃｉｌｌｕｓ  ｌｅｎｔｕｓ）、バチルス・アルカノフィリス（Ｂ．  ａｌｋａｌｏｐｈｉｌｕｓ）、バチルス・ズブチリス（Ｂ．  ｓｕｂｔｉｌｉｓ）、バチルス・アミロリケファシエンス（Ｂ．  ａｍｙｌｏｌｉｑｕｅｆａｃｉｅｎｓ）、バチルス・プミルス（Ｂａｃｉｌｌｕｓ  ｐｕｍｉｌｕｓ）、及びバチルス・ギブソニー（Ｂａｃｉｌｌｕｓ  ｇｉｂｓｏｎｉｉ）等のバチルスから誘導されたものを含む）。
（ｂ）フザリウムプロテアーゼを含む、トリプシン（例えば、ブタ又はウシ由来）等のトリプシン型又はキモトリプシン型プロテアーゼ。
（ｃ）バチルス・アミロリケファシエンス（Ｂａｃｉｌｌｕｓ  ａｍｙｌｏｌｉｑｕｅｆａｃｉｅｎｓ）由来のものを含むメタロプロテアーゼであり、好ましいプロテアーゼとしてはバチルス・ギブソニー（Ｂａｃｉｌｌｕｓ  ｇｉｂｓｏｎｉｉ）又はバチルス・レンタス（Ｂａｃｉｌｌｕｓ  Ｌｅｎｔｕｓ）由来のものが挙げられる。
【００６２】
好適な市販のプロテアーゼ酵素としては、Ｎｏｖｏｚｙｍｅｓ  Ａ／Ｓ（Ｄｅｎｍａｒｋ）からＡｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）、及びＥｓｐｅｒａｓｅ（登録商標）の商品名で販売されているもの、Ｇｅｎｅｎｃｏｒ  ＩｎｔｅｒｎａｔｉｏｎａｌからＭａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）、及びＰｕｒａｆｅｃｔ  ＯＸＰ（登録商標）の商品名で販売されているもの、Ｓｏｌｖａｙ  ＥｎｚｙｍｅｓからＯｐｔｉｃｌｅａｎ（登録商標）及びＯｐｔｉｍａｓｅ（登録商標）の商品名で販売されているもの、Ｈｅｎｋｅｌ／Ｋｅｍｉｒａから入手可能なもの、即ちＢＬＡＰ（以下の変異Ｓ９９Ｄ＋Ｓ１０１Ｒ＋Ｓ１０３Ａ＋Ｖ１０４Ｉ＋Ｇ１５９Ｓを有する、米国特許第５，３５２，６０４号の図２９で示される配列、以下ＢＬＡＰという）、ＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）、及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）（全てＨｅｎｋｅｌ／Ｋｅｍｉｒａから入手可能）、並びに花王のＫＡＰ（Ａ２３０Ｖ＋Ｓ２５６Ｇ＋Ｓ２５９Ｎの変異を有するバチルス・アルカノフィリス（Ｂａｃｉｌｌｕｓ  ａｌｋａｌｏｐｈｉｌｕｓ）サブチリシン）が挙げられる。
【００６３】
好適なアルファ−アミラーゼとしては、細菌又は真菌由来のものが挙げられる。化学的又は遺伝子学的に改変された変異体（バリアント）が包含される。好ましいアルカリ性アルファ−アミラーゼは、バチルスの菌株、例えば、バチルス・リケニフォルミス（Ｂａｃｉｌｌｕｓ  ｌｉｃｈｅｎｉｆｏｒｍｉｓ）、バチルス・アミロリケファシエンス（Ｂａｃｉｌｌｕｓ  ａｍｙｌｏｌｉｑｕｅｆａｃｉｅｎｓ）、バチルス・ステアロサーモフィリス（Ｂａｃｉｌｌｕｓ  ｓｔｅａｒｏｔｈｅｒｍｏｐｈｉｌｕｓ）、バチルス・ズブチリス（Ｂａｃｉｌｌｕｓ  ｓｕｂｔｉｌｉｓ）、又は他のバチルス属、例えばバチルス属ＮＣＩＢ  １２２８９、ＮＣＩＢ  １２５１２、ＮＣＩＢ  １２５１３、ＤＳＭ  ９３７５（米国特許第７，１５３，８１８号）、ＤＳＭ  １２３６８、ＤＳＭＺ  ｎｏ．  １２６４９、ＫＳＭ  ＡＰ１３７８（国際公開第９７／００３２４号）、ＫＳＭ  Ｋ３６、又はＫＳＭ  Ｋ３８（欧州特許第１，０２２，３３４号）に由来する。好適なアミラーゼとしては次のものが挙げられる：
（ａ）国際公開第９６／２３８７４号の配列番号２として列挙された酵素に対して、下記の位置：１５、２３、１０５、１０６、１２４、１２８、１３３、１５４、１５６、１８１、１８８、１９０、１９７、２０２、２０８、２０９、２４３、２６４、３０４、３０５、３９１、４０８、及び４４４の１つ以上が置換されたバリアント。
（ｂ）配列番号１２として列挙されたＡＡ５６０酵素に対して、下記の位置：２６、３０、３３、８２、３７、１０６、１１８、１２８、１３３、１４９、１５０、１６０、１７８、１８２、１８６、１９３、２０３、２１４、２３１、２５６、２５７、２５８、２６９、２７０、２７２、２８３、２９５、２９６、２９８、２９９、３０３、３０４、３０５、３１１、３１４、３１５、３１８、３１９、３３９、３４５、３６１、３７８、３８３、４１９、４２１、４３７、４４１、４４４、４４５、４４６、４４７、４５０、４６１、４７１、４８２、４８４の１つ以上が置換されたバリアントであって、好ましくはＤ１８３＊及びＧ１８４＊の欠損も含むバリアント。
（ｃ）国際公開第０６／００２６４３号の配列番号４（バチルス属７２２からの野生型酵素）と少なくとも９０％の相同性を示すバリアント、特に位置１８３及び１８４に欠損を有するバリアント、並びに本明細書の参照により組み込まれる国際公開第００／６００６０号に記載のバリアント。
（ｄ）バチルス属７０７（米国特許第６，０９３，５６２号の配列番号７）からの野生型酵素と少なくとも９５％の相同性を示すバリアント、特に以下の変異Ｍ２０２、Ｍ２０８、Ｓ２５５、Ｒ１７２、及び／又はＭ２６１の１つ以上を含むもの。好ましくは前記アミラーゼがＭ２０２Ｌ、Ｍ２０２Ｖ、Ｍ２０２Ｓ、Ｍ２０２Ｔ、Ｍ２０２Ｉ、Ｍ２０２Ｑ、Ｍ２０２Ｗ、Ｓ２５５Ｎ及び／又はＲ１７２Ｑの１つ以上を含む。特に好ましくはＭ２０２Ｌ又はＭ２０２Ｔの変異を含むものである。
（ｅ）国際公開第０９／１４９１３０号に記載のバリアント、好ましくは国際公開第０９／１４９１３０号の配列番号１又は配列番号２（ジェオバチルス・ステアロサーモフィラス（Ｇｅｏｂａｃｉｌｌｕｓ  Ｓｔｅａｒｏｐｈｅｒｍｏｐｈｉｌｕｓ）の野生型酵素又はこの一部切断型のもの）と少なくとも９０％の相同性を示すもの。
【００６４】
好適な市販のアルファ−アミラーゼとしては、ＤＵＲＡＭＹＬ（登録商標）、ＬＩＱＵＥＺＹＭＥ（登録商標）、ＴＥＲＭＡＭＹＬ（登録商標）、ＴＥＲＭＡＭＹＬ  ＵＬＴＲＡ（登録商標）、ＮＡＴＡＬＡＳＥ（登録商標）、ＳＵＰＲＡＭＹＬ（登録商標）、ＳＴＡＩＮＺＹＭＥ（登録商標）、ＳＴＡＩＮＺＹＭＥ  ＰＬＵＳ（登録商標）、ＦＵＮＧＡＭＹＬ（登録商標）、及びＢＡＮ（登録商標）（Ｎｏｖｏｚｙｍｅｓ  Ａ／Ｓ（Ｂａｇｓｖａｅｒｄ，Ｄｅｎｍａｒｋ））、ＫＥＭＺＹＭ（登録商標）ＡＴ  ９０００  Ｂｉｏｚｙｍ  Ｂｉｏｔｅｃｈ  Ｔｒａｄｉｎｇ  ＧｍｂＨ  Ｗｅｈｌｉｓｔｒａｓｓｅ  ２７ｂ  Ａ−１２００  Ｗｉｅｎ  Ａｕｓｔｒｉａ、ＲＡＰＩＤＡＳＥ（登録商標）、ＰＵＲＡＳＴＡＲ（登録商標）、ＥＮＺＹＳＩＺＥ（登録商標）、ＯＰＴＩＳＩＺＥ  ＨＴ  ＰＬＵＳ（登録商標）、ＰＯＷＥＲＡＳＥ（登録商標）、及びＰＵＲＡＳＴＡＲ  ＯＸＡＭ（登録商標）（Ｇｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ））、並びにＫＡＭ（登録商標）（花王：日本、１０３−８２１０、東京都中央区日本橋茅場町１丁目１４番１０号）が挙げられる。１つの態様では、好適なアミラーゼとしては、ＮＡＴＡＬＡＳＥ（登録商標）、ＳＴＡＩＮＺＹＭＥ（登録商標）、並びにＳＴＡＩＮＺＹＭＥ  ＰＬＵＳ（登録商標）、及びこれらの混合物が挙げられる。
【００６５】
１つの態様では、このような酵素は「第一サイクルリパーゼ」を含むリパーゼからなる群から選択されてよい。１つの態様では、このリパーゼは第一洗浄リパーゼであり、好ましくはＴ２３１Ｒ及びＮ２３３Ｒ変異の１つ以上を含むサーモマイセス・ラヌギノサス（Ｔｈｅｒｍｏｍｙｃｅｓ  ｌａｎｕｇｉｎｏｓｕｓ）由来の野生型リパーゼのバリアントである。野生型の配列は、Ｓｗｉｓｓｐｒｏｔ受け入れ番号Ｓｗｉｓｓ−Ｐｒｏｔ  Ｏ５９９５２（サーモマイセス・ラヌギノサス（Ｔｈｅｒｍｏｍｙｃｅｓ  ｌａｎｕｇｉｎｏｓｕｓ）（フミコラ・ラヌギノサ（Ｈｕｍｉｃｏｌａ  ｌａｎｕｇｉｎｏｓａ））由来のもの）の２６９個のアミノ酸（アミノ酸２３−２９１）である。好ましいリパーゼとしては、Ｌｉｐｅｘ（登録商標）及びＬｉｐｏｌｅｘ（登録商標）の商品名で販売されているものが挙げられる。 
【００６６】
１つの態様では、他の好ましい酵素としては、７，１４１，４０３（Ｂ２）の配列番号２のアミノ酸配列と少なくとも９０％、９４％、９７％、及びさらには９９％の相同性がある配列を有し、バチルス属のメンバーに対しエンド−β−１，４−グルカナーゼ活性（Ｅ．Ｃ．  ３．２．１．４）を示す微生物由来のエンドグルカナーゼ（例えばバクテリアの内因性ポリペプチド）、及びこれらの混合物が挙げられる。好適なエンドグルカナーゼはＣｅｌｌｕｃｌｅａｎ（登録商標）及びＷｈｉｔｅｚｙｍｅ（登録商標）（Ｎｏｖｏｚｙｍｅｓ  Ａ／Ｓ（Ｂａｇｓｖａｅｒｄ，Ｄｅｎｍａｒｋ））の商品名で販売されているものがある。
【００６７】
他の好ましい酵素としては、Ｐｅｃｔａｗａｓｈ（登録商標）、Ｐｅｃｔａｗａｙ（登録商標）、Ｘｐｅｃｔ（登録商標）の商品名で販売されているペクテートリアーゼ、及びＭａｎｎａｗａｙ（登録商標）（いずれもＮｏｖｏｚｙｍｅｓ  Ａ／Ｓ（Ｂａｇｓｖａｅｒｄ，Ｄｅｎｍａｒｋ））及びＰｕｒａｂｒｉｔｅ（登録商標）（Ｇｅｎｅｎｃｏｒ  Ｉｎｔｅｒｎａｔｉｏｎａｌ  Ｉｎｃ.（Ｐａｌｏ  Ａｌｔｏ，Ｃａｌｉｆｏｒｎｉａ））の商品名で販売されているマンナナーゼが挙げられる。
【００６８】
酵素安定系
本明細書に記載されている酵素含有組成物は、任意により、酵素安定系を組成物の重量で約０．００１％〜約１０％、いくつかの例においては約０．００５％〜約８％、及び他の例においては約０．０１％〜約６％含んでよい。酵素安定系は、洗浄性酵素と共存できる安定系であればいずれでもよい。このような系は、他の処方活性物質の元に内在させて調製されてもよく、又は、例えば、洗剤に使用可能な酵素の処方者によってもしくは製造業者によって別個に添加されてもよい。このような安定系は、例えば、カルシウムイオン、ホウ酸、プロピレングリコール、短鎖カルボン酸、ボロン酸、塩素漂白剤スカベンジャー及びこれらの混合物を含むことができ、また、洗浄組成物の種類及び物理的形態に依存する異なる安定化問題を処理するのに設計される。プロテアーゼを含む水性洗剤組成物の場合は、さらに安定性を向上させるために、ボレート、４−ホルミルフェニルホウ酸、フェニルホウ酸、及びこれらの誘導体等のホウ素化合物のような可逆的なプロテアーゼインヒビター、又はカルシウムホルマート、ナトリウムホルマート、及び１，２−プロパンジオールのような化合物を添加してもよい。
【００６９】
ビルダー
本発明の洗浄組成物は、任意によりビルダーを含んでもよい。形成された洗浄組成物は典型的には、組成物の全重量に対し少なくとも約１％のビルダーを含む。液状の洗浄組成物は、組成物の全重量に対し、約１０％までのビルダー、いくつかの例においては約８％までのビルダーを含んでもよい。粒状の洗浄組成物は、組成物の重量に対し、約３０％までのビルダー、いくつかの例においては約５％までのビルダーを含んでもよい。
【００７０】
アルミノケイ酸塩（例えば、ゼオライトＡ、ゼオライトＰ、ゼオライトＭＡＰのようなゼオライトビルダー）及びケイ酸塩から選択されるビルダーは、洗浄水中の鉱物（特に、カルシウム及び／もしくはマグネシウム）の硬度の調節を助けるか、又は表面からの微粒子状の汚れの除去を助ける。好適なビルダーは、ポリホスフェート（例えば、トリポリリン酸ナトリウム）、特にそのナトリウム塩等のホスフェート；カーボネート、ビカーボネート、セスキカーボネート、及びナトリウムカーボネート又はセスキカーボネート以外の無機カーボネート；有機モノ−、ジ−、トリ−、及びテトラカルボキシレート、特に酸、ナトリウム、カリウム、又はアルカノールアンモニウム塩の形態の水溶性非界面活性カルボキシレート、並びに脂肪族及び芳香族型を含むオリゴマー又は水溶性低分子量ポリマーカルボキシレート；及びフィチン酸からなる群から選択されるものであればよい。これらは、例えば、ｐＨ緩衝目的でホウ酸塩によって、又は硫酸塩、特に硫酸ナトリウム、並びに安定した界面活性剤及び／又はビルダー含有洗浄組成物の設計に重要でありうる任意の他の充填剤もしくはキャリアによって補完されてもよい。追加の好適なビルダーは、クエン酸、乳酸、脂肪酸、ポリカーボキシレートビルダー、例えば、アクリル酸コポリマー、アクリル酸及びマレイン酸のコポリマー、及びアクリル酸及び／又はマレイン酸、並びに様々な種類の追加の官能基を有する他の好適なエチレン性モノマーとのコポリマーから選択してよい。また、ビルダーとして使用するのに好適なものは、下記の一般的な無水物の形で示される組成を有する鎖構造の合成した結晶性イオン交換物質又はその水和物である：ｘ（Ｍ２Ｏ）・ｙＳｉＯ２・ｚＭ’Ｏ（式中、ＭはＮａ及び／又はＫであり、Ｍ’はＣａ及び／又はＭｇである；ｙ／ｘは０．５〜２．０である；及びｚ／ｘは０．００５〜１．０である）
代わりに、組成物がビルダーを含まないものであってもよい。
【００７１】
構造化剤／増粘剤
ｉ．ジベンジリデンポリオールアセタール誘導体
流体洗剤組成物は、約０．０１重量％〜約１重量％、又は約０．０５％〜約０．８％、又は約０．１％〜約０．６％、又は更には約０．３％〜約０．５％のジベンジリデンポリオールアセタール誘導体（ＤＢＰＡ）を含みうる。好適なＤＢＰＡ分子の非限定的な例としては、米国特許第６１／１６７６０４号に開示のものが挙げられる。１つの態様では、ＤＢＰＡ誘導体は、ジベンジリデンソルビトールアセタール誘導体（ＤＢＳ）を含んでもよい。前記ＤＢＳ誘導体は、１，３：２，４−ジベンジリデンソルビトール；１，３：２，４−ジ（ｐ−メチルベンジリデン）ソルビトール；１，３：２，４−ジ（ｐ−クロロベンジリデン）ソルビトール；１，３：２，４−ジ（２，４−ジメチルジベンジリデン）ソルビトール；１，３：２，４−ジ（ｐ−エチルベンジリデン）ソルビトール；及び１，３：２，４−ジ（３，４−ジメチルジベンジリデン）ソルビトール、又はこれらの混合物からなる群から選択されうる。
【００７２】
ｉｉ．バクテリアセルロース
流体洗剤組成物はまた、約０．００５重量％〜約１重量％のバクテリアセルロースネットワーク構造を含んでもよい。用語「バクテリアセルロース」は、ＣＰＫｅｌｃｏ  Ｕ．Ｓ．によるＣＥＬＬＵＬＯＮ（登録商標）等のアセトバクター属のバクテリアの発酵により生産された任意の種類のセルロースを包含し、かつ、ミクロフィブリル化セルロース、バクテリアセルロースネットワーク等と一般に称される材料を含む。１つの態様では、前記繊維は１．６ｎｍ〜３．２ｎｍ×５．８ｎｍ〜１３３ｎｍの断面積を有する。加えて、バクテリアセルロース繊維は、少なくとも約１００ｎｍ、又は約１００〜約１，５００ｎｍの平均微小繊維長を有する。１つの態様では、バクテリアセルロース微小繊維は、約１００：１〜約４００：１、又は更には約２００：１〜約３００：１の縦横比、即ち、平均微小繊維長を微小繊維の最長断面幅で除したものを有する。
【００７３】
ｉｉｉ．被覆バクテリアセルロース
１つの態様では、バクテリアセルロースは少なくとも部分的にポリマー増粘剤で被覆される。１つの態様では、少なくとも部分的に被覆されたバクテリアセルロースは、約０．１重量％〜約５重量％、又は更には約０．５重量％〜約３重量％のバクテリアセルロースと、約１０重量％〜約９０重量％のポリマー増粘剤とからなる。好適なバクテリアセルロースとしては、前述のバクテリアセルロースを挙げてもよく、好適なポリマー増粘剤としては、カルボキシメチルセルロース、カチオン性ヒドロキシメチルセルロース、及びこれらの混合物が挙げられる。
【００７４】
ｉｖ．非バクテリアセルロース由来のセルロース繊維
１つの態様では、本組成物は、本組成物の約０．０１〜約５重量％のセルロース系繊維を更に含んでいてもよい。前記セルロース系繊維は、野菜、果物、又は木材から取出されたものであってもよい。市販のものの例としては、ＦＭＣ製のＡｖｉｃｅｌ（登録商標）、Ｆｉｂｅｒｓｔａｒ製のＣｉｔｒｉ−Ｆｉ、又はＣｏｓｕｎ製のＢｅｔａｆｉｂがある。
【００７５】
ｖ．非ポリマー結晶質ヒドロキシル官能性物質
１つの態様では、本組成物は、本組成物の約０．０１重量％〜約１重量％の非ポリマー結晶質ヒドロキシル官能性構造化剤を更に含んでいてもよい。前記非ポリマー結晶質ヒドロキシル官能性構造化剤は、一般に、最終流体洗剤組成物中への分散を補助するために、予め乳化が可能な結晶化可能グリセリドを含んでいてもよい。１つの態様では、結晶化可能なグリセリドとしては、液体洗剤組成物内で結晶化させることができるという条件で、硬化ヒマシ油つまり「ＨＣＯ」又はその誘導体が挙げられる。
【００７６】
ｖｉ．ポリマー構造剤
本発明の流体洗剤組成物は、約０．０１重量％〜約５重量％の天然由来及び／又は合成ポリマー構造化剤を含んでいてもよい。本発明で使用される天然由来ポリマー構造化剤の例としては、ヒドロキシエチルセルロース、疎水変性ヒドロキシエチルセルロース、カルボキシメチルセルロース、多糖誘導体、及びこれらの混合物が挙げられる。好適な多糖誘導体としては：ペクチン、アルギン酸塩、アラビノガラクタン（アラビアゴム）、カラギーナン、ジェランガム、キサンタンガム、グアーガム及びこれらの混合物が挙げられる。本発明で使用される合成ポリマー構造化剤の例としては、ポリカルボキシレート、ポリアクリレート、疎水変性エトキシル化ウレタン、疎水変性非イオン性ポリオール、及びこれらの混合物が挙げられる。１つの態様では、前記ポリカルボキシレートポリマーは、ポリアクリレート、ポリメタクリレート、又はこれらの混合物である。他の態様では、ポリアクリレートは、不飽和モノ−又はジ−カルボン酸と（メタ）アクリル酸のＣ１−Ｃ３０アルキルエステルとのコポリマーであってよい。前記コポリマーは、Ｎｏｖｅｏｎ  ｉｎｃから商品名カーボポールＡｑｕａ  ３０として入手可能である。
【００７７】
ｖｉｉ．ジアミドゲル化剤
１つの態様では、外部構造化系は、約１５０ｇ／モル〜約１，５００ｇ／モル、又は更には約５００ｇ／モル〜約９００ｇ／モルの分子量を有するジアミドゲル化剤を含んでいてもよい。このようなジアミドゲル化剤は、少なくとも２個の窒素原子を含み、その場合、この少なくとも２個の窒素原子は、アミド官能性置換基を形成する。１つの態様では、アミド基は異なっている。他の態様では、アミド官能基は同じである。
【００７８】
有用なジアミドゲル化剤の非限定的な例としては、Ｎ，Ｎ’−（２Ｓ，２’Ｓ）−１，１’−（ドデカン−１，１２−ジイルビス（アザンジイル））ビス（３−メチル−１−オキソブタン−２，１−ジイル）ジイソニコチンアミド、ジベンジル（２Ｓ，２’Ｓ）−１，１’−（プロパン−１，３−ジイルビス（アザンジイル））ビス（３−メチル−１−オキソブタン−２，１−ジイル）ジカルバメート、ジベンジル（２Ｓ，２’Ｓ）−１，１’−（ドデカン−１，１２−ジイルビス（アザンジイル））ビス（１−オキソ−３−フェニルプロパン−２，１−ジイル）ジカルバメートがある。
【００７９】
高分子分散剤
洗剤組成物は１つ以上の高分子分散剤を含んでいてもよい。例としては、カルボキシメチルセルロース、ポリ（ビニルピロリドン）、ポリ（エチレングリコール）、ポリ（ビニルアルコール）、ポリ（ビニルピリジン−Ｎ−オキシド）、ポリ（ビニルイミダゾール）、ポリアクリレート等のポリカルボキシレート、マレイン酸／アクリル酸コポリマー、及びラウリルメタクリレート／アクリル酸コポリマーがある。
【００８０】
洗剤組成物は下記一般構造を有する化合物又はこれらがスルフェート化もしくはスルホネート化されたバリアントのような両親媒性洗浄ポリマーを１つ以上含んでいてもよい：ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）、式中ｎ＝２０〜３０及びｘ＝３〜８。
【００８１】
洗剤組成物は、平衡した親水性及び疎水性特性を有し、衣類や表面から脂粒子を除去する両親媒性アルコキシル化脂洗浄ポリマーを含んでもよい。本発明の両親媒性アルコキシル化脂洗浄ポリマーの具体的な態様は、コア構造及びこのコア構造に結合した多数のアルコキシル基を含む。これらは、例えば、内側にポリエチレンオキシドのブロックを有し、外側にポリプロピレンオキシドブロックを有するアルコキシル化ポリアルキレンイミンを含んでもよい。このような化合物としては、特に限定されないが、エトキシル化ポリエチレンイミン、エトキシル化ヘキサメチレンジアミン、及びこれらのスルフェート化されたものが挙げられる。ポリプロポキシル化誘導体もまた包含されてよい。種々のアミン及びポリアルキレンイミンを様々な度合いでアルコキシル化することができる。有用な例としては、ＮＨごとに２０個のＥＯ基でエトキシル化されている６００ｇ／モルのポリエチレンイミンコアが挙げられ、これはＢＡＳＦから入手可能である。本明細書に記載の洗浄組成物は、洗浄組成物の重量で、アルコキシル化ポリアミンを約０．１％〜約１０％、いくつかの例においては、約０．１％〜約８％、他の例においては、約０．１％〜約６％含んでもよい。
【００８２】
また、脂を除去する追加の性能を付与するために、ポリアクリレートから調製されたものなどのアルコキシル化ポリカルボキシレートがここでは有用である。化学的に、これらの材料は、７〜８のアクリレート単位ごとに１つのエトキシ側鎖を有するポリアクリレートを含む。側鎖は式−（ＣＨ２ＣＨ２Ｏ）ｍ（ＣＨ２）ｎＣＨ３であり、式中、ｍは２〜３であり、ｎは６〜１２である。側鎖はポリアクリレート「主鎖」にエステル結合され、「櫛形」ポリマー型の構造を提供する。分子量は変動しうるが、典型的には約２０００〜約５０，０００の範囲内である。本明細書に記載する洗剤組成物は、洗浄組成物の重量に対して、約０．１％〜約１０％、一部の例では、約０．２５％〜約５％、他の例では、約０．３％〜約２％のアルコキシル化ポリカルボキシレートを含んでもよい。
【００８３】
好適な両親媒性グラフトコポリマーは、（ｉ）ポリエチエレングリコールの主鎖と；（ｉｉ）ポリ酢酸ビニル、ポリビニルアルコール、及びそれらの混合物から選択される、少なくとも１種のペンダント部分とを含む。好ましい両親媒性グラフトコポリマーは、ＢＡＳＦから供給されるＳｏｋａｌａｎ  ＨＰ２２（登録商標）である。適切なポリマーには、ランダムグラフトコポリマー、好ましくは、ポリエチレンオキシドの主鎖と複数のポリ酢酸ビニルの側鎖を有する、ポリ酢酸ビニルグラフト化ポリエチレンオキシドコポリマーが挙げられる。ポリエチレンオキシド主鎖の分子量は、典型的には約６０００であり、ポリエチレンオキシドとポリ酢酸ビニルとの重量比は、約４０対６０であり、グラフト点は５０個のエチレンオキシド単位あたりに１つ以下である。
【００８４】
カルボキシレートポリマー  −  本発明の洗剤組成物はまた、マレート／アクリレートランダムコポリマー又はポリアクリレートホモポリマーのようなカルボキシレートポリマーの１つ以上を含んでよい。１つの態様では、カルボキシレートポリマーは分子量４，０００Ｄａ〜９，０００Ｄａ、又は６，０００Ｄａ〜９，０００Ｄａであるポリアクリレートホモポリマーである。
【００８５】
汚れ遊離ポリマー  −  本発明の洗剤組成物はまた、下記構造（Ｉ）、（ＩＩ）、又は（ＩＩＩ）の１つで定義される構造を有する汚れ遊離ポリマーの１つ以上を含んでいてもよい：
（Ｉ）  −［（ＯＣＨＲ１−ＣＨＲ２）ａ−Ｏ−ＯＣ−Ａｒ−ＣＯ−］ｄ
（ＩＩ）  −［（ＯＣＨＲ３−ＣＨＲ４）ｂ−Ｏ−ＯＣ−ｓＡｒ−ＣＯ−］ｅ
（ＩＩＩ）  −［（ＯＣＨＲ５−ＣＨＲ６）ｃ−ＯＲ７］ｆ
式中：
ａ、ｂ、及びｃは１〜２００である；
ｄ、ｅ、及びｆは１〜５０である；
Ａｒは１，４−置換のフェニレンである；
ｓＡｒは５位がＳＯ３Ｍｅで置換されている１，３−置換のフェニレンである；
ＭｅはＬｉ、Ｋ、Ｍｇ／２、Ｃａ／２、Ａｌ／３、アンモニウム、アルキル基がＣ１−Ｃ１８アルキルもしくはＣ２−Ｃ１０ヒドロキシアルキルであるモノ−、ジ−、トリ−、あるいはテトラアルキルアンモニウム、又はこれらの混合物；
Ｒ１、Ｒ２、Ｒ３、Ｒ４、Ｒ５、及びＲ６は独立に水素原子又はＣ１−Ｃ１８のｎ−もしくはｉｓｏ−アルキルから選ばれる；及び
Ｒ７は線状もしくは分岐状のＣ１−Ｃ１８アルキル、線状もしくは分岐状のＣ２−Ｃ３０アルケニル、炭素数５〜９のシクロアルキル基、Ｃ８−Ｃ３０アリール基、又はＣ６−Ｃ３０アリールアルキル基である。
【００８６】
好適な汚れ遊離ポリマーは、Ｒｈｏｄｉａにより供給されているＲｅｐｅｌ−ｏ−ｔｅｘ（登録商標）ＳＦ、ＳＦ−２、及びＳＲＰ６を含む、Ｒｅｐｅｌ−ｏ−ｔｅｘ（登録商標）ポリマーのような、ポリエステルの汚れ遊離ポリマーである。他の好適な汚れ遊離ポリマーとしては、Ｃｌａｒｉａｎｔにより供給されているＴｅｘｃａｒｅ  ＳＲＡ１００、ＳＲＡ３００、ＳＲＮ１００、ＳＲＮ１７０、ＳＲＮ２４０、ＳＲＮ３００、及びＳＲＮ３２５を含む、Ｔｅｘｃａｒｅポリマーが挙げられる。他の好適な汚れ遊離ポリマーとしては、Ｓａｓｏｌから供給されているＭａｒｌｏｑｕｅｓｔ（登録商標）ＳＬのようなＭａｒｌｏｑｕｅｓｔ（登録商標）ポリマーがある。
【００８７】
セルロースポリマー  −  本発明の消費者製品はまた、アルキルセルロース、アルキルアルコキシアルキルセルロース、カルボキシアルキルセルロース、アルキルカルボキシアルキルセルロースから選ばれる１つ以上のセルロースポリマーを含んでよい。１つの態様では、セルロースポリマーはカルボキシメチルセルロース、メチルセルロース、メチルヒドロキシエチルセルロース、メチルカルボキシメチルセルロース、及びこれらの混合物からなる群から選択される。１つの態様では、カルボキシメチルセルロースは、カルボキシメチルの置換度が０．５〜０．９であり、分子量が１００，０００Ｄａ〜３００，０００Ｄａである。
【００８８】
アミン
本明細書で記載されている洗浄組成物には、汚れた材料から脂や微粒子のさらなる除去のため、様々なアミンを用いてもよい。本明細書で記載されている洗剤組成物は、洗浄組成物の重量で、追加のアミンを約０．１％〜約１０％、いくつかの例においては約０．１％〜約４％、及び他の例においては、約０．１％〜約２％含んでもよい。アミンの非限定的な例としては、特に限定されないが、ポリアミン、オリゴアミン、トリアミン、ジアミン、ペンタミン、テトラアミン、ポリエーテルアミン、又はこれらの組み合わせが挙げられる。好適な追加のアミンの具体例としては、テトラエチレンペンタミン、トリエチレンテトラアミン、ジエチエレントリアミン、ポリエーテルアミン、又はこれらの混合物が挙げられる。１つの態様では、本明細書で記載されている組成物は、汚れた材料から脂や微粒子のさらなる除去のため、ポリエーテルアミンを含んでもよい。１つの態様では、本明細書で記載されている組成物は、洗浄組成物の重量で、ポリエーテルアミンを約０．１％〜約１０％、いくつかの例においては約０．１％〜約６％又は約０．２％〜約５％又は約０．１％〜約２％、及び他の例においては、約０．５％〜約３％含んでもよい。
【００８９】
好適なポリエーテルアミンは式（Ｉ）の構造で示されるものである。
【化１】
2018171619.tif 000002
式中、Ｒ１−Ｒ６のそれぞれは独立に水素原子、アルキル、シクロアルキル、アリール、アルキルアリール、又はアリールアルキルから選択され、Ｒ１−Ｒ６の少なくとも１つは水素原子とは異なり、典型的にはＲ１−Ｒ６の少なくとも１つは炭素数２〜８のアルキル基であり、Ａ１−Ａ６のそれぞれは独立に線状もしくは分岐状の炭素数２〜１８、典型的には２〜１０、より典型的には２〜５のアルキレンから選択され、Ｚ１−Ｚ２のそれぞれは独立にＯＨ又はＮＨ２から選択され、Ｚ１−Ｚ２の少なくとも１つはＮＨ２であり、典型的にはＺ１及びＺ２のそれぞれはＮＨ２であり、ｘ＋ｙの和は約２〜約２００、典型的には約２〜約２０又は約３〜約２０、より典型的には約２〜約１０又は約３〜約８又は約４〜約６の範囲であり、ｘ≧１及びｙ≧１であり、及びｘ１＋ｙ１の和は約２〜約２００、典型的には約２〜約２０又は約３〜約２０、より典型的には約２〜約１０又は約３〜約８又は約２〜約４の範囲であり、ｘ１≧１及びｙ１≧１である。
【００９０】
他の好適なポリエーテルアミンは式（ＩＩ）の構造で示されるものである。
【化２】
2018171619.tif 000003
式中、Ｒ７−Ｒ１２のそれぞれは独立に水素原子、アルキル、シクロアルキル、アリール、アルキルアリール、又はアリールアルキルから選択され、Ｒ７−Ｒ１２の少なくとも１つは水素原子とは異なり、典型的にはＲ７−Ｒ１２の少なくとも１つは炭素数２〜８のアルキル基であり、Ａ７−Ａ９のそれぞれは独立に線状もしくは分岐状の炭素数２〜１８、典型的には２〜１０、より典型的には２〜５のアルキレンから選択され、Ｚ３−Ｚ４のそれぞれは独立にＯＨ又はＮＨ２から選択され、Ｚ３−Ｚ４の少なくとも１つはＮＨ２であり、典型的にはＺ３及びＺ４のそれぞれはＮＨ２であり、ｘ＋ｙの和は約２〜約２００、典型的には約２〜約２０又は約３〜約２０、より典型的には約２〜約１０又は約３〜約８又は約２〜約４の範囲であり、ｘ≧１及びｙ≧１であり、及びｘ１＋ｙ１の和は約２〜約２００、典型的には約２〜約２０又は約３〜約２０、より典型的には約２〜約１０又は約３〜約８又は約２〜約４の範囲であり、ｘ１≧１及びｙ１≧１である。
【００９１】
他の好適なポリエーテルアミンは式（ＩＩＩ）の構造で示されるものである。
【化３】
2018171619.tif 000004
【００９２】
溶剤  −  好適な溶剤としては、水、アルコール、パラフィン、グリコール、グリセロール、及びこれらの混合物が挙げられるが、これらに限定されない。
【００９３】
漂白剤  −  本発明の洗剤組成物は、１つ以上の漂白剤を含んでよい。漂白触媒以外の好適な漂白剤としては、光漂白剤、漂白活性化剤、過酸化水素、過酸化水素源、予備形成過酸、及びこれらの混合物が挙げられる。一般に、漂白剤を使用する場合には、本発明の洗剤組成物は、洗剤組成物の重量に対し、漂白剤を約０．１％〜約５０％又はさらには約０．１％〜約２５％含みうる。好適な漂白剤の例としては、以下のものが挙げられる。
（１）光漂白剤、例えば、スルホン化亜鉛フタロシアニン、スルホン化アルミニウムフタロシアニン、キサンテン染料、及びこれらの混合物。
（２）予備形成過酸：好適な予備形成過酸としては、過カルボン酸及び塩、過炭酸及び塩、ペルイミド酸及び塩、ペルオキシ一硫酸及び塩（例えばＯｘｏｎｅ（登録商標）等）、並びにこれらの混合物からなる群から選択される化合物が挙げられるが、これらに限定されない。好適な過カルボン酸としては、式Ｒ−（Ｃ＝Ｏ）Ｏ−Ｏ−Ｍ（式中、Ｒはアルキル基であり、所望により分岐しており、過酸が疎水性の場合には、炭素原子を６〜１４個有し、又は８〜１２個有し、過酸が疎水性の場合には、６個未満の炭素原子を有し、又は更には４個未満の炭素原子を有し、Ｍは対向イオンであり、例えば、ナトリウム、カリウム、又は水素である）を有する疎水性及び親水性過酸が挙げられる。
【００９４】
（３）アルカリ金属塩、例えば、過ホウ酸塩（通常は、一又は四水和物）、過炭酸塩、過硫酸塩、過リン酸塩、過ケイ酸塩、及びこれらの混合物のナトリウム塩を含む、過酸化水素源（例えば、無機過酸化水素化塩）。本発明の１つの態様では、無機過酸化水素化塩は、過ホウ酸塩、過炭酸塩、及びこれらの混合物のナトリウム塩からなる群から選択される。  使用する場合、無機過酸化水素化塩は、典型的には、衣類及びホームケア製品全体の０．０５〜４０重量％、又は１〜３０重量％の量で存在し、典型的にはコーティングされうる結晶質の固体として衣類及びホームケア製品に配合される。好適なコーティングとしては、アルカリ金属ケイ酸塩、炭酸塩、ホウ酸塩、もしくはこれらの混合物等の無機塩、又は水溶性もしくは分散性ポリマー、ワックス、油、あるいは脂肪石鹸等の有機物質が挙げられる。
【００９５】
（４）Ｒ−（Ｃ＝Ｏ）−Ｌ（式中、Ｒはアルキル基であり、所望により分岐しており、漂白活性化剤が疎水性の場合には、６〜１４個の炭素原子、又は８〜１２個の炭素原子を有し、漂白活性化剤が親水性の場合、６個未満の炭素原子、又は更には４個未満の炭素原子を有し、Ｌは脱離基である）を有する漂白活性化剤。好適な脱離基の例は、安息香酸及びそれらの誘導体−特にベンゼンスルホネートである。好適な漂白活性化剤としては、ドデカノイルオキシベンゼンスルホネート、デカノイルオキシベンゼンスルホネート、デカノイルオキシ安息香酸又はその塩、３，５，５−トリメチルヘキサノイルオキシベンゼンスルホネート、テトラアセチルエチレンジアミン（ＴＡＥＤ）及びノナノイルオキシベンゼンスルホネート（ＮＯＢＳ）が挙げられる。いかなる好適な漂白活性化剤を使用してもよいが、本発明の１つの態様では、本洗剤組成物は、ＮＯＢＳ、ＴＡＥＤ、又はこれらの混合物を含んでもよい。
【００９６】
存在する場合、過酸及び／又は漂白活性剤は、一般的に、衣類及びホームケア製品に対し、約０．１〜約６０重量％、約０．５〜約４０重量％、又は更には約０．６〜約１０重量％の量で洗剤組成物中に存在する。１つ以上の親水性過酸又はそれらの前駆体は、１つ以上の疎水性過酸又はそれらの前駆体と組み合わせて使用してもよい。
【００９７】
過酸化水素源及び過酸又は漂白活性化剤の量は、有効酸素（過酸化物源由来のもの）と過酸とのモル比が１：１〜３５：１、又は更には２：１〜１０：１になるように選択してもよい。
【００９８】
漂白触媒  −  本発明の洗剤組成物はまた、ペルオキシ酸及び／又はその塩から酸素原子を受け取り、その酸素原子を酸化可能な基質に移送することができる漂白触媒を１つ以上含んでもよい。好適な漂白触媒としては、イミニウムカチオン及びポリイオン、イミニウム双性イオン、変性されたアミン、変性されたアミンオキシド、Ｎ−スルホニルイミン、Ｎ−ホスホニルイミン、Ｎ−アシルイミン、チアジアゾールジオキシド、ペルフルオロイミン、環状糖ケトン、並びにこれらの混合物が挙げられるが、これらに限定されない。
【００９９】
他の態様では、洗濯洗剤組成物は漂白成分を含むものであり、この漂白成分はｌｏｇＰｏ／ｗが０以下、−０．５以下、−１．０以下、−１．５以下、−２．０以下、−２．５以下、−３．０以下、又は更には−３．５以下のものである。ｌｏｇＰｏ／ｗを決定する方法については、以下に詳細に記載する。
【０１００】
典型的には、漂白成分は、ＸＳＯが約０．０１〜約０．３０、０．０５〜約０．２５、又は更には約０．１０〜０．２０の漂白種を産生することができる。ＸＳＯを決定する方法については、以下に詳細に記載する。例えば、イソキノリニウム構造を有する漂白成分はオキサジリジニウム構造を有する漂白種を産生することができる。この例においては、ＸＳＯはオキサジリジニウム漂白種のものとなる。
【０１０１】
１つの態様では、漂白触媒は、以下の一般式に対応する構造を有する。
【化４】
2018171619.tif 000005
式中、Ｒ１３は、２−エチルヘキシル、２−プロピルへプチル、２−ブチルオクチル、２−ペンチルノニル、２−ヘキシルデシル、ｎ−ドデシル、ｎ−テトラデシル、ｎ−ヘキサデシル、ｎ−オクタデシル、イソ−ノニル、イソ−デシル、イソ−トリデシル及びイソ−ペンタデシルからなる群から選ばれるものである。
【０１０２】
Ｌｏｇ  Ｐｏ／ｗは、Ｂｒｏｏｋｅ，  Ｄ．  Ｎ．，  Ｄｏｂｂｓ，  Ａ．  Ｊ．，  Ｗｉｌｌｉａｍｓ，  Ｎ，  Ｅｃｏｔｏｘｉｃｏｌｏｇｙ  ａｎｄ  Ｅｎｖｉｒｏｎｍｅｎｔａｌ  Ｓａｆｅｔｙ  （１９８６）  １１（３）：２５１−２６０に見出される方法に基づいて決定される。パラメーターＸＳＯはＡｄａｍ，  Ｗ．，  Ｈａａｓ，  Ｗ．，  Ｌｏｈｒａｙ，  Ｂ．  Ｂ．  Ｊｏｕｒｎａｌ  ｏｆ  ｔｈｅ  Ａｍｅｒｉｃａｎ  Ｃｈｅｍｉｃａｌ  Ｓｏｃｉｅｔｙ  （１９９１）  １１３（１６）  ６２０２−６２０８に記載の方法に基づいて決定される。
【０１０３】
増白剤
本明細書で記載されている洗浄組成物には、光学的増白剤、他の増白剤、又は美白剤を、組成物の重量に対し、約０．０１％〜約１．２％の量配合してもよい。本発明に好適に用いられる市販の蛍光増白剤は部分群に分類することができ、この部分群としては、スチルベン、ピラゾリン、クマリン、ベンゾキサゾール、カルボン酸、メチンシアニン、ジベンゾチオフェン−５，５−ジオキシド、アゾール、５−及び６−員環複素環、及び他の様々な剤の誘導体が挙げられるが、これらに限定されない。
【０１０４】
いくつかの例においては、本明細書でいう蛍光増白剤は式（１）の化合物を含む。
【化５】
2018171619.tif 000006
式中、Ｘ１、Ｘ２、Ｘ３、及びＸ４は−Ｎ（Ｒ１）Ｒ２（式中、Ｒ１及びＲ２は独立に水素、フェニル、ヒドロキシエチル、又は非置換もしくは置換のＣ１−Ｃ８アルキルから選択され、又は−Ｎ（Ｒ１）Ｒ２は複素環を形成してもよく、好ましくはＲ１及びＲ２は独立に水素又はフェニルから選択され、又は−Ｎ（Ｒ１）Ｒ２は非置換もしくは置換の、モルホリン環を形成する）であり、及びＭは水素又は陽イオンであり、好ましくはＭはナトリウム又はカリウムであり、より好ましくはＭはナトリウムである。
【０１０５】
一部の例においては、蛍光増白剤は二ナトリウム  ４，４’−ビス−｛［４−アニリノ−６−モルホリノ−ｓ−トリアジン−２−イル］−アミノ｝−２，２’−スチルベンジスルホネート（増白剤１５、Ｃｉｂａ  Ｇｅｉｇｙ  Ｃｏｒｐｏｒａｔｉｏｎから入手可能な商品名Ｔｉｎｏｐａｌ（登録商標）ＡＭＳ−ＧＸ）、二ナトリウム  ４，４’−ビス−｛［４−アニリノ−６−（Ｎ−２−ビスヒドロキシエチル）−ｓ−トリアジン−２−イル］−アミノ｝−２，２’−スチルベンジスルホネート（Ｃｉｂａ  Ｇｅｉｇｙ  Ｃｏｒｐｏｒａｔｉｏｎから入手可能な商品名Ｔｉｎｏｐａｌ（登録商標）ＵＮＰＡ−ＧＸ）、二ナトリウム  ４，４’−ビス−｛［４−アニリノ−６−（Ｎ−２−ヒドロキシエチル−Ｎ−メチルアミノ）−ｓ−トリアジン−２−イル］−アミノ｝−２，２’−スチルベンジスルホネート（Ｃｉｂａ  Ｇｅｉｇｙ  Ｃｏｒｐｏｒａｔｉｏｎから入手可能な商品名Ｔｉｎｏｐａｌ（登録商標）５ＢＭ−ＧＸ）からなる群から選択される。より好ましくは、蛍光増白剤は二ナトリウム  ４，４’−ビス｛［４−アニリノ−６−モルホリノ−ｓ−トリアジン−２−イル］−アミノ｝−２，２’−スチルベンジスルホネートである。
【０１０６】
増白剤は微粒子形状で、又は好適な溶剤と予め混合したもの、例えば非イオン性界面活性剤、モノエタノールアミン、プロパンジオールと予め混合したものとして添加してもよい。
【０１０７】
抑泡剤
本明細書の洗浄組成物は、追加の抑泡剤を、組成物の重量に対し、０．１％〜約１０％含んでよい。抑泡剤として利用する場合には、モノカルボン脂肪酸類及びそれらの塩は、洗浄組成物の約５重量％までの量、一部の例では、洗浄組成物の約０．５重量％〜約３重量％の量で存在していてもよい。追加のシリコーン抑泡剤は、洗浄組成物において約２．０重量％までの量で利用されうるものの、より多い量で使用してもよい。モノステアリルホスフェート抑泡剤は、洗浄組成物の約０．１重量％〜約２重量％の範囲の量で利用されうる。炭化水素抑泡剤は、洗浄組成物の約０．０１重量％〜約５．０重量％の範囲の量で利用されうるものの、より多い量で使用することもできる。アルコール抑泡剤は、洗浄組成物の約０．２重量％〜約３重量％の範囲の濃度で使用されてもよい。
【０１０８】
水溶性フィルム
本発明の組成物はまた、水溶性フィルムの内部に封入されていてもよい。好ましいフィルム材料は、好ましくはポリマー材料である。フィルム材料は、当技術分野で公知の通りに、例えば、ポリマー材料を鋳込み成形、吹込成形、押出成形、又は吹込押出成形することによって得ることができる。
【０１０９】
パウチ材料として使用するのに適切な好ましいポリマー、コポリマー、又はそれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸及び塩、ポリアミノ酸もしくはペプチド、ポリアミド、ポリアクリルアミド、マレイン酸／アクリル酸のコポリマー、デンプン及びゼラチンを含めた多糖類、天然ガム、例えばキサンタム及びカラゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにそれらの組み合わせから選択される。好ましくは、パウチ材料中のポリマー、例えばＰＶＡポリマーの量は、少なくとも６０％である。ポリマーは、任意の重量平均分子量を有してもよく、好ましくは約１０００〜１，０００，０００、より好ましくは約１０，０００〜３００，０００、さらにより好ましくは約２０，０００〜１５０，０００の重量平均分子量を有してもよい。ポリマーの混合物も、パウチの材料として使用できる。
【０１１０】
当然ながら、本発明の区画を作製する際に、異なるフィルム材料及び／又は異なる厚さのフィルムが採用されてもよい。異なるフィルムを選択することの有益性は、得られる区画が異なる溶解特性又は放出特性を呈することができるということである。
【０１１１】
最も好ましいフィルム材料は、商品参照名ＭｏｎｏＳｏｌ  Ｍ８６３０、Ｍ８９００、Ｈ８７７９として公知のＰＶＡフィルムである。
【０１１２】
ここでのフィルム材料は、１種以上の添加剤成分も含んでもよい。例えば、可塑剤、例えば、グリセロール、エチレングリコール、ジエチレングリコール、プロピレングリコール、ソルビトール、及びそれらの混合物を追加すると有益でありうる。他の添加剤には、洗浄水に送達される機能的洗剤添加剤、例えば有機ポリマー分散剤等が含まれる。
【０１１３】
泡促進剤
多くの泡立ちが所望される場合は、洗浄組成物中に、Ｃ１０−Ｃ１６アルカノールアミド等の泡促進剤を、洗浄組成物の約１重量％〜約１０重量％の範囲の濃度で組み込んでもよい。一部の例として、Ｃ１０〜Ｃ１４モノエタノール及びジエタノールアミドが挙げられる。所望される場合、ＭｇＣｌ２、ＭｇＳＯ４、ＣａＣｌ２、ＣａＳＯ４等の水溶性マグネシウム及び／又はカルシウム塩を、洗浄組成物の重量に対して、約０．１％〜約２％の量で加えて、更なる泡立ちをもたらし、脂除去能を増強させることもできる。
【０１１４】
コンディショニング剤
本発明の組成物は、高融点脂肪族化合物を含んでもよい。本明細書において有用な高融点脂肪族化合物は、２５℃以上の融点を有し、脂肪族アルコール、脂肪酸、脂肪族アルコール誘導体、脂肪酸誘導体、及びこれらの混合物からなる群から選択される。
【０１１５】
高融点脂肪族化合物は、組成物の重量に対して、約０．１％〜約４０％、好ましくは約１％〜約３０％、より好ましくは約１．５％〜約１６％、濡れた髪への適用の際の滑るような感触、乾いた髪の柔らかくしっとりした感触等の改善されたコンディショニング利益の提供を考慮して約１．５％〜約８％の量で組成物中に含まれる。
【０１１６】
本発明の組成物は、カチオン性ポリマーを含有してもよい。組成物中のカチオン性ポリマーの濃度は、典型的には、約０．０５％〜約３％、別の形態では約０．０７５％〜約２．０％、なおも別の形態では約０．１％〜約１．０％の範囲である。好適なカチオン性ポリマーは、組成物の意図される使用でのｐＨが通常約ｐＨ  ３〜約ｐＨ  ９、１つの形態では約ｐＨ  ４〜約ｐＨ  ８の範囲のｐＨにおいて、少なくとも約０．５ｍｅｑ／ｇｍ、別の形態では少なくとも約０．９ｍｅｑ／ｇｍ、別の形態では少なくとも約１．２ｍｅｑ／ｇｍ、なおも別の形態では少なくとも約１．５ｍｅｑ／ｇｍ、しかし１つの形態ではまた約７ｍｅｑ／ｇｍ未満、及び別の形態では約５ｍｅｑ／ｇｍ未満のカチオン性電荷密度を有する。本明細書においてポリマーの「カチオン性電荷密度」とは、ポリマーの分子量に対する、ポリマー上の正電荷数の比を指す。このような好適なカチオン性ポリマーの平均分子量は一般に、約１０，０００〜１０，０００，０００であり、１つの形態では、約５０，０００〜約５，０００，０００であり、別の形態では、約１００，０００〜約３，０００，０００である。
【０１１７】
本発明の組成物に用いるのに好適なカチオン性ポリマーは、第四級アンモニウムのようなカチオン性窒素含有部分又はカチオン性プロトン化アミノ部分を含有する。任意のアニオン性対向イオンを、カチオン性ポリマーと併せて使用することができるが、ポリマーが水中、組成物中、又は組成物のコアセルベート相中で可溶性のままであり、かつ対向イオンが、組成物の必須成分と物理的及び化学的に適合性があるか、あるいはさもなければ、製品の性能、安定性、又は審美性を過度に低下させないことを条件とする。このような対向イオンの非限定的な例には、ハロゲン化物（例えば、塩化物、フッ化物、臭化物、ヨウ化物）、スルフェート、及びメチルスルフェートが挙げられる。
【０１１８】
このようなポリマーの非限定的な例としては、ＣＴＦＡ  Ｃｏｓｍｅｔｉｃ  Ｉｎｇｒｅｄｉｅｎｔ  Ｄｉｃｔｉｏｎａｒｙ，  ３ｒｄ  ｅｄｉｔｉｏｎ，  Ｅｓｔｒｉｎ，  Ｃｒｏｓｌｅｙ，  Ｈａｙｎｅｓ編（Ｔｈｅ  Ｃｏｓｍｅｔｉｃ，  Ｔｏｉｌｅｔｒｙ，ａｎｄ  Ｆｒａｇｒａｎｃｅ  Ａｓｓｏｃｉａｔｉｏｎ，  Ｉｎｃ．，  Ｗａｓｈｉｎｇｔｏｎ，  Ｄ．Ｃ．  （１９８２））に記載のものがある。
【０１１９】
本組成物に用いるのに好適なその他のカチオン性ポリマーとしては、多糖類ポリマー、カチオン性グアーガム誘導体、第四級窒素含有セルロースエーテル、合成高分子、エーテル化セルロース、グアー、及びデンプンのコポリマーが挙げられる。本明細書のカチオン性ポリマーは、用いられる場合、本組成物に可溶性であるか、又はカチオン性ポリマーと上述のアニオン性、両性及び／もしくは双極イオン性の界面活性剤成分とによって形成された組成物中の複合コアセルベート相に可溶性であるか、のいずれかである。カチオン性ポリマーの複合コアセルベートはまた、組成物中の他の荷電物質により形成することもできる。
【０１２０】
本発明の組成物は、コンディショニング剤として非イオン性ポリマーを含んでもよい。本発明においては約１０００を超える分子量を有するポリアルキレングリコールが有用である。
【０１２１】
コンディショニング剤、及び特にシリコーンが組成物に含まれてもよい。本発明の組成物に有用なコンディショニング剤は、典型的には、乳化液体粒子を形成する非水溶性の水分散性不揮発性液体を含む。本組成物に用いるのに好適なコンディショニング剤は、一般にシリコーン（例えば、シリコーンオイル、カチオン性シリコーン、シリコーンガム、屈折率の高いシリコーン、及びシリコーン樹脂）、有機コンディショニングオイル（例えば、炭化水素油、ポリオレフィン、及び脂肪酸エステル）、もしくはこれらの組み合わせとして特徴付けられるコンディショニング剤、又はさもなければ本明細書の水性界面活性剤マトリックス中に液状の分散した粒子を形成するコンディショニング剤である。これらのコンディショニング剤は、物理的及び化学的に組成物の必須成分と適合すべきであり、さもなければ過度に製品の安定性、審美性、又は性能を損なうべきではない。
【０１２２】
組成物のコンディショニング剤の濃度は、所望のコンディショニングの利点を提供するのに十分でなくてはならない。このような濃度は、コンディショニング剤、所望のコンディショニング性能、コンディショニング剤粒子の平均粒径、その他の構成成分の種類及び濃度、並びにその他の同様の要因により様々であり得る。
【０１２３】
布地色相剤
本組成物は、布地色相剤（時に、陰影剤、青味剤、又は白色剤とも称する）を含んでよい。典型的には、色相剤は、布地に青又はバイオレットの色合いをもたらす。色相剤は単独で又は組み合わせて使用して、特有な色合いを作り出す及び／又は異なる種類の布地に色合いをつけることができる。これは、例えば、赤と緑−青の染料とを混合して青又は紫の色合いを生じさせることにより提供されうる。色相剤は、アクリジン、アントラキノン（多環式キノンを含む）、アジン、前金属化したアゾを含むアゾ（例えば、モノアゾ、ジアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物を含むが、これらに限定されず、任意の周知の染料の化学分類から選択してよい。
【０１２４】
好適な布地色相剤としては、染料、染料−粘土共役体、並びに有機及び無機顔料が挙げられる。好適な染料としては、小分子染料及び高分子染料が挙げられる。好適な小分子染料としては、例えば、青、バイオレット、赤、緑、又は黒に分類され、単独で又は組み合わせで所望の色合いをもたらす、直接染料、塩基性染料、反応染料、又は加水分解した反応性染料、加水分解した溶剤染料、もしくは加水分解した分散染料の色指数（Ｃ．Ｉ．）分類に分類される染料からなる群から選択される小分子染料が挙げられる。別の態様では、好適な小分子染料としては、カラーインデックス（染色業者及びカラーリスト協会（Ｓｏｃｉｅｔｙ  ｏｆ  Ｄｙｅｒｓ  ａｎｄ  Ｃｏｌｏｕｒｉｓｔｓ，Ｂｒａｄｆｏｒｄ，ＵＫ））番号が、ダイレクトバイオレット染料９、３５、４８、５１、６６、及び９９等、ダイレクトブルー染料１、７１、８０、及び２７９等、アシッドレッド染料１７、７３、５２、８８、及び１５０等、アシッドバイオレット染料１５、１７、２４、４３、４９、及び５０等、アシッドブルー染料１５、１７、２５、２９、４０、４５、７５、８０、８３、９０、及び１１３等、アシッドブラック染料１等、ベーシックバイオレット染料１、３、４、１０、及び３５等、ベーシックブルー染料３、１６、２２、４７、６６、７５、及び１５９等、分散又は溶剤染料、並びにこれらの混合物からなる群から選択される小分子染料が挙げられる。別の態様では、好適な小分子染料としては、Ｃ．Ｉ．番号が、アシッドバイオレット１７、ダイレクトブルー７１、ダイレクトバイオレット５１、ダイレクトブルー１、アシッドレッド８８、アシッドレッド１５０、アシッドブルー２９、アシッドブルー１１３、又はこれらの混合物からなる群から選択される小分子染料が挙げられる。
【０１２５】
好適な高分子染料としては、例えばポリマーと色原体とを共重合してポリマーの主鎖にしたもの等の、共有結合（コンジュゲート化と呼ばれることもある）した色原体を含有するポリマー（染料−ポリマーコンジュゲート）、及びこれらの混合物からなる群から選択される高分子染料が挙げられる。
【０１２６】
別の態様では、適切な高分子染料としては、Ｌｉｑｕｉｔｉｎｔ（登録商標）（Ｍｉｌｌｉｋｅｎ（Ｓｐａｒｔａｎｂｕｒｇ，Ｓｏｕｔｈ  Ｃａｒｏｌｉｎａ，ＵＳＡ））の名称で市販されている布地直接着色剤、及び少なくとも１つの反応染料と、ヒドロキシル部分、一級アミン部分、二級アミン部分、チオール部分、及びこれらの混合物からなる群から選択される部分を含むポリマーからなる群から選択されるポリマーから形成されている染料−ポリマー共役体、からなる群から選択される高分子染料が挙げられる。更に別の態様では、好適な高分子染料としては、Ｌｉｑｕｉｔｉｎｔ（登録商標）バイオレットＣＴ、リアクティブブルー、リアクティブバイオレット、又はリアクティブレッドの染料に共有結合しているカルボキシメチルセルロース（ＣＭＣ）、例えば、Ｍｅｇａｚｙｍｅ（Ｗｉｃｋｌｏｗ，Ｉｒｅｌａｎｄ）から商品名ＡＺＯ−ＣＭ−ＣＥＬＬＵＬＯＳＥ、商品コードＳ−ＡＣＭＣで販売されているＣ．Ｉ．リアクティブブルー１９とコンジュゲートしているＣＭＣ、アルコキシル化トリフェニル−メタン高分子着色料、アルコキシル化チオフェン高分子着色料、及びこれらの混合物からなる群から選択される高分子染料が挙げられる。
【０１２７】
好適な染料粘土共役体としては、少なくとも１種のカチオン性／塩基性染料及びスメクタイト粘土、並びにこれらの混合物からなる群から選択される染料粘土共役体が挙げられる。別の態様では、好適な染料粘土共役体としては、以下からなる群から選択される１つのカチオン性／塩基性染料からなる群から選択される染料粘土共役体が挙げられる：Ｃ．Ｉ．ベーシックイエロー１〜１０８、Ｃ．Ｉ．ベーシックオレンジ１〜６９、Ｃ．Ｉ．ベーシックレッド１〜１１８、Ｃ．Ｉ．ベーシックバイオレット１〜５１、Ｃ．Ｉ．ベーシックブルー１〜１６４、Ｃ．Ｉ．ベーシックグリーン１〜１４、Ｃ．Ｉ．ベーシックブラウン１〜２３、ＣＩベーシックブラック１〜１１、並びにモンモリロナイト粘土、ヘクトライト粘土、サポナイト粘土、及びこれらの組み合わせからなる群から選択される粘土。更に別の態様では、好適な染料粘土共役体としては、モンモリロナイトベーシックブルーＢ７  Ｃ．Ｉ．４２５９５共役体、モンモリロナイトベーシックブルーＢ９  Ｃ．Ｉ．５２０１５共役体、モンモリロナイトベーシックバイオレットＶ３  Ｃ．Ｉ．４２５５５共役体、モンモリロナイトベーシックグリーンＧ１  Ｃ．Ｉ．４２０４０共役体、モンモリロナイトベーシックレッドＲ１  Ｃ．Ｉ．４５１６０共役体、モンモリロナイトＣ．Ｉ．ベーシックブラック２共役体、ヘクトライトベーシックブルーＢ７  Ｃ．Ｉ．４２５９５共役体、ヘクトライトベーシックブルーＢ９  Ｃ．Ｉ．５２０１５共役体、ヘクトライトベーシックバイオレットＶ３  Ｃ．Ｉ．４２５５５共役体、ヘクトライトベーシックグリーンＧ１  Ｃ．Ｉ．４２０４０共役体、ヘクトライトベーシックレッドＲ１  Ｃ．Ｉ．４５１６０共役体、ヘクトライトＣ．Ｉ．ベーシックブラック２共役体、サポナイトベーシックブルーＢ７  Ｃ．Ｉ．４２５９５共役体、サポナイトベーシックブルーＢ９  Ｃ．Ｉ．５２０１５共役体、サポナイトベーシックバイオレットＶ３  Ｃ．Ｉ．４２５５５共役体、サポナイトベーシックグリーンＧ１  Ｃ．Ｉ．４２０４０共役体、サポナイトベーシックレッドＲ１  Ｃ．Ｉ．４５１６０共役体、サポナイトＣ．Ｉ．ベーシックブラック２共役体及びこれらの混合物からなる群より選択される染料粘土共役体が挙げられる。
【０１２８】
好適な顔料としては、フラバントロン、インダントロン、１〜４個の塩素原子を有する塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（イミド基は非置換、あるいは、Ｃ１〜Ｃ３−アルキルもしくはフェニル又は複素環式基で置換されていてもよく、このフェニル及び複素環式ラジカルは更に、水溶性を付与しない置換基を有していてもよい）、アントラピリミジンカルボン酸アミド、ビオラントロン、イソビオラントロン、ジオキサジン顔料、銅フタロシアニン（１分子当たり２個以下の塩素原子を有していてもよい）、ポリクロロ−銅フタロシアニン、又はポリブロモクロロ−銅フタロシアニン（１分子当たり１４個以下の臭素原子を有する）、及びこれらの混合物からなる群より選択される顔料が挙げられる。
【０１２９】
別の態様では、好適な顔料としては、ウルトラマリンブルー（Ｃ．Ｉ．ピグメントブルー２９）、ウルトラマリンバイオレット（Ｃ．Ｉ．ピグメントバイオレット１５）、及びこれらの混合物からなる群より選択される顔料が挙げられる。
【０１３０】
上記布地色相剤は、組み合わせて使用することができる（布地色相剤の任意の混合物を使用することができる）。 
【０１３１】
カプセル剤
本組成物は、カプセル剤を含んでもよい。一部の態様では、カプセル剤は、コアと内表面及び外表面を有するシェルとを含み、該シェルによりコアが被包される。
【０１３２】
特定の態様では、カプセル剤は、コアとシェルとを含み、ここで、コアは、香料；増白剤；染料；防虫剤；シリコーン；ワックス；着香料；ビタミン；布地用柔軟剤；スキンケア剤（例えば、パラフィン等）；酵素；抗菌剤；漂白剤；感覚剤；又はこれらの混合物；から選択される材料を含み、シェルは、ポリエチレン；ポリアミド；ポリビニルアルコール（他のコモノマーを含有していてもよい）；ポリスチレン；ポリイソプレン；ポリカーボネート；ポリエステル；ポリアクリレート；ポリオレフィン；ポリサッカライド（例えば、アルギネート及び／又はキトサン）；ゼラチン；シェラック；エポキシ樹脂；ビニルポリマー；非水溶性無機物；シリコーン；アミノ樹脂、又はこれらの混合物から選択される材料を含む。シェルがアミノ樹脂を含む一部の態様では、該アミノ樹脂は、ポリ尿素、ポリウレタン、及び／又はポリ尿素ウレタンを含む。ポリ尿素は、ポリオキシメチレン尿素、及び／又はメラミンホルムアルデヒドを含んでもよい。
【０１３３】
一部の態様では、カプセル剤は、コアを含み、該コアは、香料を含む。特定の態様では、カプセル剤は、シェルを含み、該シェルは、メラミンホルムアルデヒド及び／又は架橋メラミンホルムアルデヒドを含む。一部の態様では、カプセル剤は、香料を含むコアと、メラミンホルムアルデヒド、及び／又は架橋メラミンホルムアルデヒドを含むシェルと、を含む。
【０１３４】
好適なカプセル剤は、コア材料とシェルとを含んでもよく、ここで、該シェルは、少なくとも部分的には該コア材料を取り囲んでいる。このカプセル剤の少なくとも７５％、少なくとも８５％、又は更に少なくとも９０％は、約０．２ＭＰａ〜約１０ＭＰａ、約０．４ＭＰａ〜約５ＭＰａ、約０．６ＭＰａ〜約３．５ＭＰａ、又は更には約０．７ＭＰａ〜約３ＭＰａの破壊強度、並びに０％〜約３０％、０％〜約２０％、又は更には０％〜約５％の有益剤漏出率を有してもよい。
【０１３５】
一部の態様では、前記カプセル剤の少なくとも７５％、８５％、又は更には９０％は、約１μｍ〜約８０μｍ、約５μｍ〜６０μｍ、約１０μｍ〜約５０μｍ、又は更には約１５μｍ〜約４０μｍの粒径を有しうる。
【０１３６】
一部の態様では、前記カプセル剤の少なくとも７５％、８５％、又は更には９０％は、約３０ｎｍ〜約２５０ｎｍ、約８０ｎｍ〜約１８０ｎｍ、又は更には約１００ｎｍ〜約１６０ｎｍの粒子壁厚を有し得る。
【０１３７】
一部の態様では、カプセル剤のコアは、香料原料から選択される材料、及び／又はヒマシ油、ヤシ油、綿実油、ブドウ油、菜種油、大豆油、トウモロコシ油、パーム油、亜麻仁油、ベニバナ油、オリーブ油、落花生油、ヤシ油、パーム核油、ヒマシ油、レモン油、及びこれらの混合物を含む単一及び／又は混合植物油；植物油のエステル、アジピン酸ジブチル、フタル酸ジブチル、アジピン酸ブチルベンジル、アジピン酸ベンジルオクチル、リン酸トリクレシル、リン酸トリオクチルを含むエステル、及びこれらの混合物；約８０℃を超える沸点を有する直鎖又は分岐鎖炭化水素を含む直鎖又は分岐鎖炭化水素；部分水素化テルフェニル、フタル酸ジアルキル、モノイソプロピルビフェニルを含むアルキルビフェニル、ジプロピルナフタリンを含むアルキル化ナフタリン、灯油、鉱油又はこれらの混合物を含む石油精；ベンゼン、トルエン、又はこれらの混合物を含む芳香族溶媒；シリコーン油；又はこれらの混合物から選択される、任意選択的な材料を含む。
【０１３８】
一部の態様では、カプセル剤の壁部は、アルデヒドとアミンの反応生成物等の好適な樹脂を含む。好適なアルデヒドとしては、ホルムアルデヒドが挙げられる。好適なアミンには、メラミン、尿素、ベンゾグアナミン、グリコールウリル、又はこれらの混合物が挙げられる。好適なメラミンには、メチロールメラミン、メチル化メチロールメラミン、イミノメラミン、及びこれらの混合物が挙げられる。好適な尿素には、ジメチロール尿素、メチル化ジメチロール尿素、尿素−レゾルシノール、又はこれらの混合物が挙げられる。
【０１３９】
一部の態様では、好適なホルムアルデヒドスカベンジャーをカプセル剤と共に（例えばカプセルスラリー中において）使用してもよいし、及び／又は、組成物にカプセル剤を添加する前、最中、又は後に組成物に対して添加されてもよい。
【０１４０】
加えて、上記カプセル剤を製造するための材料は、Ｓｏｌｕｔｉａ  Ｉｎｃ．（Ｓｔ  Ｌｏｕｉｓ、Ｍｉｓｓｏｕｒｉ  Ｕ．Ｓ．Ａ．）、Ｃｙｔｅｃ  Ｉｎｄｕｓｔｒｉｅｓ（Ｗｅｓｔ  Ｐａｔｅｒｓｏｎ、Ｎｅｗ  Ｊｅｒｓｅｙ  Ｕ．Ｓ．Ａ．）、ｓｉｇｍａ−Ａｌｄｒｉｃｈ（Ｓｔ．Ｌｏｕｉｓ、Ｍｉｓｓｏｕｒｉ  Ｕ．Ｓ．Ａ．）、ＣＰ  Ｋｅｌｃｏ  Ｃｏｒｐ．（Ｓａｎ  Ｄｉｅｇｏ、Ｃａｌｉｆｏｒｎｉａ、ＵＳＡ）；ＢＡＳＦ  ＡＧ（Ｌｕｄｗｉｇｓｈａｆｅｎ、Ｇｅｒｍａｎｙ）；Ｒｈｏｄｉａ  Ｃｏｒｐ．（Ｃｒａｎｂｕｒｙ、Ｎｅｗ  Ｊｅｒｓｅｙ、ＵＳＡ）；Ｈｅｒｃｕｌｅｓ  Ｃｏｒｐ．（Ｗｉｌｍｉｎｇｔｏｎ、Ｄｅｌａｗａｒｅ、ＵＳＡ）；Ａｇｒｉｕｍ  Ｉｎｃ．（Ｃａｌｇａｒｙ、Ａｌｂｅｒｔａ、Ｃａｎａｄａ）、ＩＳＰ（Ｎｅｗ  Ｊｅｒｓｅｙ  Ｕ．Ｓ．Ａ．）、Ａｋｚｏ  Ｎｏｂｅｌ（Ｃｈｉｃａｇｏ、ＩＬ、ＵＳＡ）；Ｓｔｒｏｅｖｅｒ  Ｓｈｅｌｌａｃ  Ｂｒｅｍｅｎ（Ｂｒｅｍｅｎ、Ｇｅｒｍａｎｙ）；Ｄｏｗ  Ｃｈｅｍｉｃａｌ  Ｃｏｍｐａｎｙ（Ｍｉｄｌａｎｄ、ＭＩ、ＵＳＡ）；Ｂａｙｅｒ  ＡＧ（Ｌｅｖｅｒｋｕｓｅｎ、Ｇｅｒｍａｎｙ）；Ｓｉｇｍａ−Ａｌｄｒｉｃｈ  Ｃｏｒｐ．（Ｓｔ．Ｌｏｕｉｓ、Ｍｉｓｓｏｕｒｉ、ＵＳＡ）から得ることができる。
【０１４１】
香料
本明細書に記載する洗浄組成物においては、香料及び芳香成分が使用されてもよい。香料及び芳香成分の非限定的な例としては、アルデヒド、ケトン、エステル等が挙げられるが、これらに限定されない。他の例としては、様々な天然抽出物及び天然エキスも挙げられ、オレンジ油、レモン油、バラ抽出物、ラベンダー、ムスク、パチョリ、バルサムエキス、ビャクダン油、パイン油、シーダー等の成分の複雑な混合物を含みうる。香料完成品は、そのような成分の非常に複雑な混合物を含みうる。香料完成品は、本洗浄組成物の約０．０１重量％〜約２重量％の範囲の濃度で含まれていてもよい。
【０１４２】
移染防止剤
また、布地洗浄組成物は、洗浄プロセス中に、ある布地から他の布地に染料が移ることを予防するのに効果的な１種以上の物質を含んでもよい。一般に、このような移染防止剤としては、ポリビニルピロリドンポリマー、ポリアミンＮ−オキシドポリマー、Ｎ−ビニルピロリドン及びＮ−ビニルイミダゾールのコポリマー、マンガンフタロシアニン、ペルオキシダーゼ、及びこれらの混合物が挙げられうる。使用する場合、これらの剤は、組成物の重量に対して、約０．０００１％〜約１０％、いくつかの例では、組成物の重量に対して、約０．０１％〜約５％、及び他の例では、組成物の重量に対して、約０．０５％〜約２％の濃度で使用されてよい。
【０１４３】
キレート剤
本明細書に記載する洗剤組成物はまた、金属イオンキレート剤の１種以上を含んでもよい。好適な分子としては、銅、鉄、及び／又はマンガンキレート剤、及びこれらの混合物が挙げられる。このようなキレート剤は、ホスホナート、アミノカルボキシラート、アミノホスホナート、スクシナート、多官能性置換芳香族キレート剤、２−ピリジノール−Ｎ−オキシド化合物、ヒドロキサム酸、カルボキシルメチルイヌリン、及びこれらの混合物からなる群から選択されうる。キレート剤は、アルカリ金属、アンモニウム、及びこれらの置換アンモニウム塩、並びにこれらの混合物を含む酸又は塩の形態で存在できる。
【０１４４】
キレート剤として有用なアミノカルボキシラートとしては、エチレンジアミン四酢酸（ＥＤＴＡ）、Ｎ−（ヒドロキシエチル）エチレンジアミン三酢酸（ＨＥＤＴＡ）、ニトリロ三酢酸（ＮＴＡ）、エチレンジアミンテトラプロピオネート、トリエチレンテトラアミン六酢酸、ジエチレントリアミン五酢酸（ＤＴＰＡ）、メチルグリシン二酢酸（ＭＧＤＡ）、グルタミン酸二酢酸（ＧＬＤＡ）、エタノール−ジグリシン、トリエチレンテトラアミン六酢酸（ＴＴＨＡ）、Ｎ−ヒドロキシエチルイミノ二酢酸（ＨＥＩＤＡ）、ジヒドロキシエチルグリシン（ＤＨＥＧ）、エチレンジアミンテトラプロピオン酸（ＥＤＴＰ）、及びこれらの誘導体が挙げられるが、これらに限定されない。
【０１４５】
リン含有キレート剤としては、ジエチレントリアミンペンタ（メチレンホスホン酸）（ＤＴＰＭＰ、ＣＡＳ  １５８２７−６０−８）、エチレンジアミンテトラ（メチレンホスホン酸）（ＥＤＴＭＰ、ＣＡＳ  １４２９−５０−１）、２−ホスホノブタン  １，２，４−トリカルボン酸（Ｂａｙｈｉｂｉｔ（登録商標）  ＡＭ）、ヘキサメチレンジアミンテトラ（メチレンホスホン酸）（ＣＡＳ  ５６７４４−４７−９）、ヒドロキシエタンジホスホン酸（ＨＥＤＰ、ＣＡＳ  ２８０９−２１−４）、ヒドロキシエタンジメチレンホスホン酸、２−ホスホノ−１，２，４−ブタントリカルボン酸（ＣＡＳ  ３７９７１−３６−１）、２−ヒドロキシ−２−ホスホノ酢酸（ＣＡＳ  ２３７８３−２６−８）、アミノトリ（メチレンホスホン酸）（ＡＴＭＰ、ＣＡＳ  ６４１９−１９−８）、Ｐ，Ｐ’−（１，２−エタンジイル）ビス−ホスホン酸（ＣＡＳ  ６１４５−３１−９）、Ｐ，Ｐ’−メチレンビス−ホスホン酸（ＣＡＳ  １９８４−１５−２）、トリエチレンジアミンテトラ（メチレンホスホン酸）（ＣＡＳ  ２８４４４−５２−２）、Ｐ−（１−ヒドロキシ−１−メチルエチル）−ホスホン酸（ＣＡＳ  ４１６７−１０−６）、ビス（ヘキサメチレントリアミンペンタ（メチレンホスホン酸））（ＣＡＳ  ３４６９０−００−１）、Ｎ２，Ｎ２，Ｎ６，Ｎ６−テトラキス（ホスホノメチル）−リジン（ＣＡＳ  １９４９３３−５６−７、ＣＡＳ  １７２７８０−０３−９）、これらの塩、及びこれらの混合物が挙げられるが、これらに限定されない。好ましくは、これらのアミノホスホナートが炭素原子約６個を超えるアルキル又はアルケニル基を含まない。
【０１４６】
同様に本明細書で使用することのできる生分解性キレート化剤は、エチレンジアミンジコハク酸（「ＥＤＤＳ」）である。一部の例では（無論この具体例に限定されないが）、［Ｓ，Ｓ］異性体がある。他の例では、ＥＤＤＡの三ナトリウム塩を使用できるものの、マグネシウム塩等のその他の形態も有用でありうる。ＢＡＳＦ製のＴｒｉｌｏｎ  Ｐ（登録商標）のような高分子キレート剤もまた有用でありうる。
【０１４７】
本洗浄組成物には、多官能置換された芳香族のキレート剤も使用されてもよい。この種の化合物の酸形態は、タイロンとしても既知である１，２−ジヒドロキシ−３，５−ジスルホベンゼン等のジヒドロキシジスルホベンゼンである。他のスルホン化カテコールを使用してもよい。また、用語「タイロン」は、ジスルホン酸に加えて、モノ又はジスルホン酸塩、例えばスルホン酸二ナトリウムをも含み得、これは同一のコア分子構造をジスルホン酸と共有する。
【０１４８】
本発明に係る洗剤組成物は、キレート剤として、置換又は非置換の２−ピリジノール−Ｎ−オキシド化合物又はその塩を含有する。キレート剤として、本発明の範囲に包含されるのは、この化合物の互変異性体、例えば、１−ヒドロキシ−２（１Ｈ）−ピリジノンである。特定の態様では、洗剤組成物は、２−ヒドロキシピリジン−１−オキシド、３−ピリジンカルボン酸，２−ヒドロキシ−，１−オキシド、６−ヒドロキシ−３−ピリジンカルボン酸，１−オキシド、２−ヒドロキシ−４−ピリジンカルボン酸，１−オキシド、２−ピリジンカルボン酸，６−ヒドロキシ−，１−オキシド、６−ヒドロキシ−３−ピリジンスルホン酸，１−オキシド、及びこれらの混合物からなる群から選択される２−ピリジノール−Ｎ−オキシド化合物を含有する。特定の態様では、洗剤組成物は、１−ヒドロキシ−２（１Ｈ）−ピリジノン（ＣＡＳ  ８２２−８９−９）、１，６−ジヒドロ−１−ヒドロキシ−６−オキソ−３−ピリジンカルボン酸（ＣＡＳ  ６７７７６３−１８−７）、１，２−ジヒドロ−１−ヒドロキシ−２−オキソ−４−ピリジンカルボン酸（ＣＡＳ  １１９７３６−２２−０）、１，６−ジヒドロ−１−ヒドロキシ−６−オキソ−２−ピリジンカルボン酸（ＣＡＳ  ９４７８１−８９−２）、１−ヒドロキシ−４−メチル−６−（２，４，４−トリメチルペンチル）−２（１Ｈ）−ピリジノン（ＣＡＳ  ５０６５０−７６−５）、６−（シクロヘキシルメチル）−１−ヒドロキシ−４−メチル−２（１Ｈ）−ピリジノン（ＣＡＳ  ２９３４２−１０−７）、１−ヒドロキシ−４，６−ジメチル−２（１Ｈ）−ピリジノン（ＣＡＳ  ２９３４２−０２−７）、１−ヒドロキシ−４−メチル−６−（２，４，４−トリメチルペンチル）−２−ピリドンモノエタノールアミン（ＣＡＳ  ６８８９０−６６−４）、１−ヒドロキシ−６−（オクチロキシ）−２（１Ｈ）−ピリジノン（ＣＡＳ  １６２９１２−６４−３）、１−ヒドロキシ−４−メチル−６−シクロヘキシル−２−ピリジノンエタノールアミン塩（ＣＡＳ  ４１６２１−４９−２）、１−ヒドロキシ−４−メチル−６−シクロヘキシル−２−ピリジノン（ＣＡＳ  ２９３４２−０５−０）、６−エトキシ−１，２−ジヒドロ−１−ヒドロキシ−２−オキソ−４−ピリジンカルボン酸，メチルエステル（ＣＡＳ  ３６９７９−７８−９）、１−ヒドロキシ−５−ニトロ−２（１Ｈ）−ピリジノン（ＣＡＳ  ４５９３９−７０−６）、及びこれらの混合物からなる群から選択される１−ヒドロキシ−２（１Ｈ）−ピリジノン化合物を含有する。これらの化合物は、例えばＳｉｇｍａ−Ａｌｄｒｉｃｈ（Ｓｔ．Ｌｏｕｉｓ，ＭＯ）、Ｐｒｉｎｃｅｔｏｎ  Ｂｕｉｌｄｉｎｇ  Ｂｌｏｃｋｓ（Ｍｏｎｍｏｕｔｈ  Ｊｕｎｃｔｉｏｎ，ＮＪ）、３Ｂ  Ｓｃｉｅｎｔｉｆｉｃ  Ｃｏｒｐｏｒａｔｉｏｎ（Ｌｉｂｅｒｔｙｖｉｌｌｅ，ＩＬ）、ＳｙｎＦｉｎｅ  Ｒｅｓｅａｒｃｈ（Ｒｉｃｈｍｏｎｄ  Ｈｉｌｌ，ＯＮ）、Ｒｙａｎ  Ｓｃｉｅｎｔｉｆｉｃ，Ｉｎｃ．（Ｍｔ．Ｐｌｅａｓａｎｔ，ＳＣ）、及び／又はＡｃｅｓ  Ｐｈａｒｍａ（Ｂｒａｎｆｏｒｄ，ＣＴ）から市販されている。
【０１４９】
ヒドロキサム酸は、カルボン酸にヒドロキシルアミンが挿入された化学的化合物の一種であり、キレート剤として用いられる。ヒドロキサム酸の一般構造は、下記のものである：
【化６】
2018171619.tif 000007
好ましいヒドロキサメートは、Ｒ１がＣ４〜Ｃ１４アルキル、好ましくはノルマルアルキル、最も好ましくは飽和されているものであり、これらの塩、及びこれらの混合物である。Ｃ８の材料が用いられたときは、オクチルヒドロキサム酸と称される。
【０１５０】
本明細書で用いるのに好適なその他のキレート剤は、市販されるＤＥＱＵＥＳＴ（登録商標）シリーズ、並びにＭｏｎｓａｎｔｏ、Ａｋｚｏ−Ｎｏｂｅｌ、ＤｕＰｏｎｔ、Ｄｏｗ、ＢＡＳＦ製のＴｒｉｌｏｎ（登録商標）シリーズ、及びＮａｌｃｏのキレート剤である。
【０１５１】
キレート剤は、本開示の洗剤組成物中に、本開示の洗剤組成物の約０．００５重量％〜約１５重量％、約０．０１重量％〜約５重量％、約０．１重量％〜約３．０重量％、又は約０．２重量％〜約０．７重量％、又は約０．３重量％〜約０．６重量％存在してよい。
【０１５２】
衛生及び悪臭
本発明の組成物は、リシノール酸亜鉛、チモール、第四級アンモニウム塩、例えばＢａｒｄａｃ（登録商標）、ポリエチレンイミン（例えばＢＡＳＦ製Ｌｕｐａｓｏｌ（登録商標））及びそれらの亜鉛錯体、銀及び銀化合物、特に、Ａｇ＋をゆっくり放出するように設計されたもの又はナノ銀分散体のうちの１種以上も含んでもよい。
【０１５３】
プロバイオティクス
本組成物は、プロバイオティクス、例えば国際公開第２００９／０４３７０９号に記載されるものを含んでもよい。
【０１５４】
充填剤及びキャリア
本明細書に記載する洗浄組成物においては、充填剤及びキャリアが使用されてもよい。本明細書で使用するとき、用語「充填剤」及び「キャリア」は、同じ意味であり、取替え可能に使用されうる。
【０１５５】
液体洗浄組成物、及び液体成分を含む洗浄組成物の他の形態（液体を含有する単位用量型洗浄組成物等）は、充填剤又はキャリアとして、水及び他の溶媒を含有していてもよい。好適な溶媒としては、シロキサン、その他のシリコーン、炭化水素、グリコールエーテル、例えばグリセリンエーテル等のグリセリン誘導体、ペルフルオロ化アミン、ペルフルオロ化及びハイドロフルオロエーテル溶媒、低揮発性の非フッ素化有機溶媒、ジオール溶媒、並びにこれらの混合物等の親油性流体が挙げられる。
【０１５６】
メタノール、エタノール、プロパノール、及びイソプロパノールに代表される低分子量の１級又は２級アルコールが好適である。一部の例では、一価アルコール類を、界面活性剤を可溶化するために使用してもよく、また、ポリオール類、例えば、２〜約６個の炭素原子と２〜約６個のヒドロキシ基を含有するもの等（１，３−プロパンジオール、エチレングリコール、グリセリン、及び１，２−プロパンジオール等）を使用してもよい。また、アミン含有溶媒、例えば、モノエタノールアミン、ジエタノールアミン、及びトリエタノールアミンが使用されてもよい。
【０１５７】
本洗浄組成物は、このようなキャリアを、本組成物の重量に対して、約５％〜約９０％、及びいくつかの例では、約１０％〜約５０％含んでもよい。コンパクトもしくはスーパーコンパクト強力液体洗浄組成物、又は他の形態の洗浄組成物の場合、水の使用については、組成物の重量に対し、約４０％未満、もしくは約２０％未満、もしくは約５％未満、又は、自由水が約４％未満、もしくは自由水が約３％未満、もしくは自由水が約２％未満であってよく、又は、自由水を実質的に含んでいなくてもよい（即ち、無水でもよい）。
【０１５８】
粉末もしくはバー型洗浄組成物、又は固体もしくは粉末成分を含む形態（例えば、粉末を含有する単位用量型洗浄組成物）の場合、好適な充填剤としては、限定するものではないが、硫酸ナトリウム、塩化ナトリウム、粘土、又は他の不活性固体成分が挙げられうる。充填剤としてはまた、バイオマス又は脱色バイオマスを挙げてもよい。粒状、バー、又は他の固体洗浄組成物における充填剤は、本洗浄組成物の約８０重量％未満、一部の例では、本洗浄組成物の約５０重量％未満含まれてもよい。コンパクトもしくはスーパーコンパクト粉末もしくは固体洗浄組成物は、洗浄組成物の約４０重量％未満、又は約２０重量％未満、又は約１０重量％未満の充填剤を含んでもよい。
【０１５９】
コンパクトもしくはスーパーコンパクト液体もしくは粉末洗浄組成物、又は他の形態のどちらの場合も、製品中の液体又は固体充填剤の濃度を減少させて、コンパクト化されていない洗浄組成物と比較した場合、同一量の活性物質を洗浄液に対して供給するようにしてもよいし、又は、一部の例では、洗浄組成物はより有効性が高く、コンパクト化されていない洗浄組成物と比較した場合に、より少ない活性物質を洗浄液に対して供給してもよい。例えば、洗浄液は、本洗浄組成物を、洗浄液中の洗浄組成物の濃度が０ｇ／Ｌ超〜６ｇ／Ｌとなるような量の水と接触させることにより形成されうる。一部の例では、この濃度は、約０．５ｇ／Ｌ〜約５ｇ／Ｌ、又は〜約３．０ｇ／Ｌ、又は〜約２．５ｇ／Ｌ、又は〜約２．０ｇ／Ｌ、又は〜約１．５ｇ／Ｌ、又は約０ｇ／Ｌ〜約１．０ｇ／Ｌ、又は約０ｇ／Ｌ〜約０．５ｇ／Ｌであってもよい。これらの投与量は限定を意図するものではなく、その他の投与量を使用することもできることは当業者には明白である。
【０１６０】
緩衝系
本明細書に記載の洗浄組成物は、水性洗浄作業での使用の際に、洗浄水のｐＨが約７．０〜約１２となるように、一部の例では約７．０〜約１１となるように処方することができる。推奨される使用レベルにｐＨを調節する手法としては、緩衝剤、アルカリ、酸等の使用が挙げられ、当業者には周知である。これらは、炭酸ナトリウム、クエン酸、もしくはクエン酸ナトリウム、乳酸もしくは乳酸塩、モノエタノールアミンもしくは他のアミン類、ホウ酸もしくはホウ酸塩、並びに当該技術分野で周知の他のｐＨ調整化合物の使用を含むが、これらに限定されない。
【０１６１】
本明細書の洗浄組成物は、動的な洗浄中ｐＨプロファイルを含んでもよい。このような洗浄組成物では、他のｐＨ調節剤と併せて、ワックスで被覆されたクエン酸粒子を使用して、（ｉ）洗浄液のｐＨが水との接触後約３分の時点で１０より大きく、（ｉｉ）洗浄液のｐＨが水との接触後約１０分の時点で９．５未満となり、（ｉｉｉ）洗浄液のｐＨが水との接触後約２０分の時点で９．０未満となり、（ｉｖ）任意により、洗浄液の平衡ｐＨが、約７．０〜約８．５の範囲内となるようにしてもよい。
【０１６２】
ＵＶ吸収剤  −  本発明の特定の形態の消費者製品において、本発明の光感応性封入体は、好適なＵＶ吸収成分を組成物に組み込むことによって、貯蔵中の十分な波長の光に対する暴露による早期放出に対して安定化されうる。任意の好適なＵＶ吸収組成物を使用できるが、組成物に不快な色及び匂いを付与せず、また、製品のレオロジーに悪影響を及ぼさないものが特に好ましい。ＵＶ吸収成分の非限定的な例には、アボベンゾン、シノキセート、エカムシュール、アントラニル酸メンチル、メトキシケイ皮酸オクチル、サリチル酸オクチル、オキシベンゾン、スルイソベンゾン、及びこれらの組み合わせが挙げられる。本出願人らは、驚くべきことに、本発明の封入体の光活性化性能が、そのようなＵＶ吸収成分の使用により損なわれないことを見出した。理論に束縛されるものではないが、多数の消費者製品用途、例えば洗濯洗剤、シャンプー、及びボディーソープを含む洗浄組成物では、ＵＶ吸収成分は洗い流されるが、本発明の封入体は、関心対象の表面上に有効な量で残留し、そこで十分な波長の光に対する暴露後にそれらの内容物を放出するのに使用されると考えられる。他の洗浄組成物又はリーブオン型消費者製品、例えば床洗浄組成物、カーテン及び室内装飾材料消臭剤、ボディーローション、及びヘアスタイリング製品では、ＵＶ吸収成分は、適用後に乾燥して薄膜となり、本発明の封入体を膜の頂部に位置させ又は膜を超えて延伸させると考えられる。それにより、有効な量の所望の波長の光が封入体に到達し、有益剤の放出を達成することができる。
【０１６３】
試験方法
ＬＣＡＦ  溶解度指数の方法：
ＵＶ−Ｖｉｓ透過率を介して有機親和性シリコーンにおける物質の混和性を測定する。
【０１６４】
溶解度指数は、下記手順に基づいて、１ｃｍ経路長のキュベットを用い、４８０ｎｍ、透過モードで実行される、ＵＶ−Ｖｉｓ分光光度計を用いてサンプルの光透過率を測定することによって決定される。好適な装置としては、Ｂｅｃｋｍａｎ  Ｃｏｕｌｔｅｒ  ｍｏｄｅｌ  ＤＵ  ８００  ＵＶ−Ｖｉｓ分光光度計（Ｂｅｃｋｍａｎ  Ｃｏｕｌｔｅｒ  Ｉｎｃ．，  Ｂｒｅａ，  Ｃａｌｉｆｏｒｎｉａ，  ＵＳＡ）がある。
【０１６５】
全てのサンプルの調製と分析は、気温２２℃±２℃の研究室で行われる。ガラスシンチレーションバイアルにおいて、組成物に含まれる主な有機親和性シリコーンと、試験材料（例えば、ポリジメチルシロキサンポリマー）とを体積比８０：２０で組み合わせる。バイアルにキャップをし、最高速度に設定したベンチトップのボルテックスミキサーを用い、５分間完全に混ぜ合わせる。混合後、もし、バイアル中に目視で明らかに異なる２つ以上の層があるならば、本方法では試験材料の溶解度指数は不確定になると考慮される。もし、目視で明らかには異なる層がないならば、分析を続ける。
【０１６６】
測定開始前に分光光度計のランプをつけ、３０分温める。波長４８０ｎｍで、Ｐｅｒｃｅｎｔａｇｅ  Ｔｒａｎｓｍｉｓｓｉｏｎ（％Ｔ）モードにおいて、測定を集めるよう装置を設定する。全てのサンプルを１ｃｍ経路長のプラスティックキュベットに充填する。
もし、キュベット内に気泡が見えたら、ピペットを使って気泡を除去するか、又は測定前に気泡をキュベットの外側に付けさせる。
【０１６７】
純シリコーンを充填したキュベットとともに、脱イオン（ＤＩ）水を充填したキュベットを用い、有機親和性シリコーンの純サンプルのベースラインをゼロにする。純有機親和性シリコーンの％Ｔを測定する。以前の説明の通りに調製した、有機親和性シリコーンと試験サンプルとの混合物の％Ｔを測定する。有機親和性シリコーンと試験サンプルとの混合物の％Ｔと、純有機変性シリコーン（ベースラインとしてＤＩ水ブランクを用いて測定したもの）の％Ｔとを比較する。
【０１６８】
溶解度指数は１０進数で記録され、有機親和性シリコーンと測定サンプルとの混合物の％Ｔを、純有機親和性シリコーンの％Ｔで除して計算される。
例；  試験サンプルＡＢＣの溶解度指数：
＝有機親和性シリコーン中のＡＢＣの％Ｔ／有機親和性シリコーンの％Ｔ
＝８５％／９８％ 
＝０．８６７
【０１６９】
粘度試験方法
装置：  Ｂｒｏｏｋｆｉｅｌｄ粘度計及びＴＡ  Ｉｎｓｔｒｕｍｅｎｔｓ製のＡＲ  Ｇ２レオメーター
【０１７０】
Ｂｒｏｏｋｆｉｅｌｄ粘度計は、ＡＲ  Ｇ２レオメーターのためのベストなジオメトリが選択できるよう、試験材料のおよその範囲を得るのに用いられる。 
【０１７１】
ＡＲ  Ｇ２  レオメーター  プロトコル
１．ジオメトリ選択
ａ．型
ｉ．平板
ｉｉ．クエット／カップ及びボブ
ｂ．プレートの大きさ
【表１】
2018171619.tif 000008
２．ジオメトリ取付
３．ゼロギャップ
４．測定モード設定。硬モード又は柔モード（非常に低い粘度用）を選択
５．装置回転マッピング（実験前ごとに繰り返す）
６．サンプル充填
ａ．ベースプレートにサンプルを配置
ｂ．ギャップ入力
ｉ．１０００μｍ（１ｍｍ）が基準
ｉｉ．最小ギャップ  ＝  １０×  サンプル中の最大粒子径
ｃ．ベアリングをロック
ｄ．サンプルを整えるためのプラスティックスライドを使用
７．測定を行う
８．サンプル手順
ａ．フロー曲線（ステップフロー、０．０１−１００；  １０ｐｔｓ／ｄｅｃａｄｅ、せん断応力、一定時間  ２０，  平均ラスト  １０)
ｂ．ストレススイープ（ストレス＝０．０１−１００Ｐａ，周波数＝１ｒａｄ／ｓ）
ｃ．周波数スイープ（角周波数＝０．１〜１００；ストレススイープにおいてＧ’が低下し始め、線形粘弾性領域にあることを保証するストレスの１／３のストレスに設定）
【実施例】
【０１７２】
実施例１
シリコーン消泡剤Ａ１
撹拌器付きの２５０ｍｌの容器に７１．１４ｇのポリマー（分子量約６５，０００、ジメチルシロキサン基７１−７５モル％、２−フェニルプロピルメチルシロキサン基２０−２４モル％、オクチルメチルシロキサン基３−７モル％含有、末端がトリメチルシリル基）１と３．８ｇのオルガノシロキサン樹脂２（トリメチルシロキサン単位とＳｉＯ２単位を有し、Ｍ／Ｑ比が約０．６５／１〜０．６７／１）を２０．０６ｇのポリジメチルシロキサン３（１０ｃＳｔ．）に溶解させたものを入れ、シリコーン消泡剤Ａ１を調製する。樹脂混合物が完全に混合するまで混合物を撹拌する。そして、５．００ｇの沈降シリカ５を添加し、シリカが完全に混合するまで混合物を撹拌する。
【０１７３】
実施例２
シリコーン消泡剤Ｂ１
撹拌器付きの２５０ｍｌの容器に６９．０５ｇのポリマー（分子量約６５，０００、ジメチルシロキサン基７１−７５モル％、２−フェニルプロピルメチルシロキサン基２０−２４モル％、オクチルメチルシロキサン基３−７モル％含有、末端がトリメチルシリル基）１と２．２５ｇのオルガノシロキサン樹脂２（トリメチルシロキサン単位とＳｉＯ２単位を有し、Ｍ／Ｑ比が約０．６５／１〜０．６７／１）を２３．７０ｇのポリジメチルシロキサン３（１０ｃＳｔ．）に溶解させたものを入れ、シリコーン消泡剤Ｂ１を調製する。樹脂混合物が完全に混合するまで混合物を撹拌する。そして、５．００ｇの沈降シリカ５を添加し、シリカが完全に混合するまで混合物を撹拌する。
【０１７４】
実施例３
シリコーン消泡剤Ｃ１
撹拌器付きの２５０ｍｌの容器に６７．６８ｇのポリマー（分子量約６５，０００、ジメチルシロキサン基７１−７５モル％、２−フェニルプロピルメチルシロキサン基２０−２４モル％、オクチルメチルシロキサン基３−７モル％含有、末端がトリメチルシリル基）１と２．２５ｇのオルガノシロキサン樹脂２（トリメチルシロキサン単位とＳｉＯ２単位を有し、Ｍ／Ｑ比が約０．６５／１〜０．６７／１）を２２．５５ｇのポリジメチルシロキサン３（１０ｃＳｔ．）に溶解させたものを入れ、シリコーン消泡剤Ｃ１を調製する。樹脂混合物が完全に混合するまで混合物を撹拌する。そして、７．５２ｇの沈降シリカ５を添加し、シリカが完全に混合するまで混合物を撹拌する。
【０１７５】
実施例４
シリコーン消泡剤Ｄ１
撹拌器付きの２５０ｍｌの容器に７０．５６ｇのポリマー（分子量約６５，０００、ジメチルシロキサン基７１−７５モル％、２−フェニルプロピルメチルシロキサン基２０−２４モル％、オクチルメチルシロキサン基３−７モル％含有、末端がトリメチルシリル基）１と３．８０ｇのオルガノシロキサン樹脂２（トリメチルシロキサン単位とＳｉＯ２単位を有し、Ｍ／Ｑ比が約０．６５／１〜０．６７／１）を３．００ｇの２−エチルヘキシルステアレート４と１７．６４ｇのポリジメチルシロキサン３（１０ｃＳｔ．）に溶解させたものを入れ、シリコーン消泡剤Ｄ１を調製する。樹脂混合物が完全に混合するまで混合物を撹拌する。そして、５．００ｇの沈降シリカ５を添加し、シリカが完全に混合するまで混合物を撹拌する。
【０１７６】
実施例５
シリコーン消泡剤Ｅ１
撹拌器付きの２５０ｍｌの容器に６７．６８ｇのポリマー（分子量約６５，０００、ジメチルシロキサン基７１−７５モル％、２−フェニルプロピルメチルシロキサン基２０−２４モル％、オクチルメチルシロキサン基３−７モル％含有、末端がトリメチルシリル基）１と２．２５ｇのオルガノシロキサン樹脂２（トリメチルシロキサン単位とＳｉＯ２単位を有し、Ｍ／Ｑ比が約０．６５／１〜０．６７／１）を２２．５５ｇのポリジメチルシロキサン３（１０ｃＳｔ．）に溶解させたものを入れ、シリコーン消泡剤Ｅ１を調製する。樹脂混合物が完全に混合するまで混合物を撹拌する。そして、５．００ｇの沈降シリカ５と２．５２ｇのフュームドシリカ６を添加し、シリカが完全に混合するまで混合物を撹拌する。
【０１７７】
実施例６：
シリコーン消泡剤Ｆ１
撹拌器付きの２５０ｍｌの容器に４２．７０ｇのポリマー（分子量約６５，０００、ジメチルシロキサン基７１−７５モル％、２−フェニルプロピルメチルシロキサン基２０−２４モル％、オクチルメチルシロキサン基３−７モル％含有、末端がトリメチルシリル基）１と２．４０ｇのオルガノシロキサン樹脂２（トリメチルシロキサン単位とＳｉＯ２単位を有し、Ｍ／Ｑ比が約０．６５／１〜０．６７／１）を２．４０ｇの２−エチルヘキシルステアレート４と、２８．５０ｇのポリジメチルシロキサン３（１０ｃＳｔ．）と、２０．００ｇのポリジメチルシロキサン７（７ｃＳｔ．）に溶解させたものを入れ、シリコーン消泡剤Ｆ１を調製する。樹脂混合物が完全に混合するまで混合物を撹拌する。そして、４．００ｇの沈降シリカ５を添加し、シリカが完全に混合するまで混合物を撹拌する。
【０１７８】
実施例７：
シリコーン消泡剤Ｇ１
撹拌器付きの２５０ｍｌの容器に６５．５２ｇのポリマー（分子量約６５，０００、ジメチルシロキサン基７１−７５モル％、２−フェニルプロピルメチルシロキサン基２０−２４モル％、オクチルメチルシロキサン基３−７モル％含有、末端がトリメチルシリル基）１と６．０ｇのオルガノシロキサン樹脂２（トリメチルシロキサン単位とＳｉＯ２単位を有し、Ｍ／Ｑ比が約０．６５／１〜０．６７／１）を入れ、シリコーン消泡剤Ｇ１を調製する。樹脂が完全に混合するまで混合物を撹拌する。そして、５．２５ｇのＳｉｐｅｒｎａｔ  ３５  沈降シリカ５と１．７５ｇのＡｅｒｏｓｉｌ  ２００  フュームドシリカ５を添加し、シリカが完全に混合するまで混合物を撹拌する。そして、０．７９ｇのカリウムメトキシドを添加して、混合物を２００℃で４時間撹拌し、周囲雰囲気まで冷却し、１８．４８ｇのポリジメチルシロキサン３（１０ｃＳｔ．）と３．００ｇの２−エチルヘキシルステアレートを添加し、完全に混合するまで混合物を撹拌し、粘性のある半透明の液体を得る。
【０１７９】
実施例８
シリコーン消泡剤Ｈ１
撹拌器付きの２５０ｍｌの容器に７０．５６ｇのポリマー（分子量約６５，０００、ジメチルシロキサン基７１−７５モル％、２−フェニルプロピルメチルシロキサン基２７−３３モル％、オクチルメチルシロキサン基３−７モル％含有、末端がトリメチルシリル基）１と３．８０ｇのオルガノシロキサン樹脂２（トリメチルシロキサン単位とＳｉＯ２単位を有し、Ｍ／Ｑ比が約０．６５／１〜０．６７／１）を３．００ｇの２−エチルヘキシルステアレート４と１７．６４ｇのポリジメチルシロキサン３（１０ｃＳｔ．）に溶解させたものを入れ、シリコーン消泡剤Ｈ１を調製する。樹脂混合物が完全に混合するまで混合物を撹拌する。そして、５．００ｇの沈降シリカ５を添加し、シリカが完全に混合するまで混合物を撹拌する。
【０１８０】
１  Ｓｈｉｎ−Ｅｔｓｕ  Ｓｉｌｉｃｏｎｅｓ  ｏｆ  Ａｍｅｒｉｃａ，Ａｋｒｏｎ，ＯＨから供給
２  Ｗａｃｋｅｒ  Ｓｉｌｉｃｏｎｅｓ，Ａｄｒｉａｎ，ＭＩから供給、商品名Ｂｅｌｓｉｌ（登録商標）  ８０３
３  Ｓｈｉｎ−Ｅｔｓｕ  Ｓｉｌｉｃｏｎｅｓ  ｏｆ  Ａｍｅｒｉｃａ，Ａｋｒｏｎ，ＯＨから供給
４  Ｗａｋｏ  Ｃｈｅｍｉｃａｌｓ  ＵＳＡ，  Ｉｎｃ，  Ｒｉｃｈｍｏｎｄ，ＶＡから供給
５  Ｅｖｏｎｉｋ  Ｄｅｇｕｓｓａ  Ｃｏｒｐｏｒａｔｉｏｎ，  Ｐａｒｓｉｐｐａｎｙ，ＮＪから入手可能
６  Ｅｖｏｎｉｋ  Ｄｅｇｕｓｓａ  Ｃｏｒｐｏｒａｔｉｏｎ，  Ｐａｒｓｉｐｐａｎｙ，ＮＪから入手可能
７  Ｇｅｌｅｓｔ，  Ｉｎｃ．，Ｍｏｒｒｉｓｖｉｌｌｅ，ＰＡから入手可能
【０１８１】
実施例９：液状洗剤衣類ケア組成物：
液状洗剤衣類ケア組成物９Ａ−９Ｅは以下に示す割合で列挙した成分を混合して調製する：
【表２】
2018171619.tif 000009
【０１８２】
実施例１０：液状又はゲル洗剤
液状又はゲル洗剤衣類ケア組成物１０Ａ−１０Ｇは以下に示す割合で列挙した成分を混合して調製する：
【表３】
2018171619.tif 000010
１  Ｓｈｅｌｌ  Ｃｈｅｍｉｃａｌｓ，  Ｈｏｕｓｔｏｎ，ＴＸから入手可能。
２  Ｈｕｎｔｓｍａｎ  Ｃｈｅｍｉｃａｌｓ，  Ｓａｌｔ  Ｌａｋｅ  Ｃｉｔｙ，ＵＴから入手可能。
３  Ｓａｓｏｌ  Ｃｈｅｍｉｃａｌｓ，  Ｊｏｈａｎｎｅｓｂｕｒｇ，Ｓｏｕｔｈ  Ａｆｒｉｃａから入手可能
４  Ｅｖｏｎｉｋ  Ｃｏｒｐｏｒａｔｉｏｎ，  Ｈｏｐｅｗｅｌｌ，ＶＡから入手可能。
５  Ｔｈｅ  Ｐｒｏｃｔｅｒ  ＆  Ｇａｍｂｌｅ  Ｃｏｍｐａｎｙ，  Ｃｉｎｃｉｎｎａｔｉ，ＯＨから入手可能。
６  Ｓｉｇｍａ  Ａｌｄｒｉｃｈ  ｃｈｅｍｉｃａｌｓ，  Ｍｉｌｗａｕｋｅｅ，ＷＩから入手可能
７  Ｇｅｎｅｎｃｏｒ  Ｉｎｔｅｒｎａｔｉｏｎａｌ，  Ｓｏｕｔｈ  Ｓａｎ  Ｆｒａｎｃｉｓｃｏ，ＣＡから入手可能。
８  Ｃｉｂａ  Ｓｐｅｃｉａｌｔｙ  Ｃｈｅｍｉｃａｌｓ，  Ｈｉｇｈ  Ｐｏｉｎｔ，ＮＣから入手可能
９  分子量６００ｇ／モルの、−ＮＨごとにエトキシル基２０個有するポリエチレンイミンコア、ＢＡＳＦ（Ｌｕｄｗｉｇｓｈａｆｅｎ，Ｇｅｒｍａｎｙ）から入手可能
１０  分子量６００ｇ／モルの、−ＮＨごとにエトキシル基２４個、−ＮＨごとにプロポキシル基１６個有するポリエチレンイミンコア。ＢＡＳＦ（Ｌｕｄｗｉｇｓｈａｆｅｎ，Ｇｅｒｍａｎｙ）から入手可能。
１１  国際公開第０１／０５８７４号に記載のもの、ＢＡＳＦ（Ｌｕｄｗｉｇｓｈａｆｅｎ，Ｇｅｒｍａｎｙ）から入手可能
１２  Ｅｌｅｍｅｎｔｉｓ  Ｓｐｅｃｉａｌｔｉｅｓ，  Ｈｉｇｈｓｔｏｗｎ，ＮＪから商品名Ｔｈｉｘｉｎ（登録商標）  Ｒで入手可能
１３  Ｎａｌｃｏ  Ｃｈｅｍｉｃａｌｓ，  Ｎａｐｅｒｖｉｌｌｅ，ＩＬから入手可能。
１４  Ｎｏｖｏｚｙｍｅｓ，  Ｃｏｐｅｎｈａｇｅｎ，Ｄｅｎｍａｒｋから入手可能。
１５  ＰＥＧ−ＰＶＡグラフトコポリマーは、ポリエチレンオキシド主鎖と多数のポリ酢酸ビニル側鎖を有するポリ酢酸ビニルグラフト化ポリエチレンオキシドコポリマーである。ポリエチレンオキシド主鎖の分子量は約６０００であり、ポリエチレンオキシドとポリ酢酸ビニルとの重量比は約４０〜６０であり、グラフト点は５０個のエチレンオキシド単位あたりに１つ以下である。ＢＡＳＦ（Ｌｕｄｗｉｇｓｈａｆｅｎ，Ｇｅｒｍａｎｙ）から入手可能。
【０１８３】
実施例１１：すすぎ添加型衣類ケア組成物
すすぎ添加型衣類ケア組成物１１Ａ−１１Ｄは以下に示す成分を混合して調製する：
【表４】
2018171619.tif 000011
１  Ｅｖｏｎｉｋ  Ｃｏｒｐｏｒａｔｉｏｎ，  Ｈｏｐｅｗｅｌｌ，ＶＡから入手可能なＮ，Ｎ  ジ（タロウイルオキシエチル）−Ｎ，Ｎ  ジメチルアンモニウムクロリド。
２  Ｅｖｏｎｉｋ  Ｃｏｒｐｏｒａｔｉｏｎ，  Ｈｏｐｅｗｅｌｌ，ＶＡから入手可能な、脂肪酸とメチルジエタノールアミンとの反応物で、メチルクロリドで４級化した、Ｎ，Ｎ−ジ（タロウイルオキシエチル）Ｎ，Ｎ  ジメチルアンモニウムクロリドとＮ−（タロウイルオキシエチル）Ｎ−ヒドロキシエチル  Ｎ，Ｎ−ジメチルアンモニウムクロリドとの２．５：１モルの混合物。
３  水流動度として測定される粘度の値が５０〜８４であり、置換度が０．０２〜０．０９、アミロースを２５％〜９５％含有する、普通のトウモロコシデンプン又はジャガイモデンプン由来のカチオン性デンプン。Ｎａｔｉｏｎａｌ  Ｓｔａｒｃｈ，  Ｂｒｉｄｇｅｗａｔｅｒ，ＮＪから入手可能
４  日本触媒（日本、東京）からＥｐｏｍｉｎ（登録商標）  １０５０の商品名で入手可能。
５  ＢＡＳＦ，  ＡＧ，ＬｕｄｗｉｇｓｈａｆｅｎからＳｅｄｉｐｕｒ（登録商標）  ５４４の商品名で入手可能なアクリルアミド−ｃｏ−［２−（アクリロイルアミノ）エチル］トリ−メチルアンモニウムクロリドのコポリマー（４級化されたジメチルアミノエチルアクリレート）等のカチオン性ポリアクリルアミドポリマー。
６  Ａｐｐｌｅｔｏｎ  Ｐａｐｅｒ  ｏｆ  Ａｐｐｌｅｔｏｎ，ＷＩから入手可能
【０１８４】
実施例１２：粉末洗剤組成物
【表５】
2018171619.tif 000012
【０１８５】
本明細書に開示した寸法及び値は、記述された正確な数値に厳しく限定されるものと理解すべきでない。それよりむしろ、特に指定されない限り、こうした各寸法は、列挙した値と、その値周辺の機能的に同等の範囲との両方を意味することを意図したものである。例えば、「４０ｍｍ」として開示された寸法は、「約４０ｍｍ」を意味することを意図する。
【０１８６】
「発明を実施するための形態」で引用した全ての文献は、関連部分において本明細書に援用するが、いずれの文献の引用もそうした文献が本発明に対する先行技術であることを容認するものとして解釈されるべきではない。本書における用語のいずれかの意味又は定義が、参照により組み込まれた文献における同一の用語の任意の意味又は定義と相反する限りにおいては、本書においてその用語に与えられた意味又は定義が適用されるものとする。
【０１８７】
本発明の特定の形態が例示され記載されてきたが、本発明の趣旨及び範囲から逸脱することなく他の様々な変更及び修正を実施できることが、当業者には自明であろう。従って、本発明の範囲内にあるそのような全ての変更及び修正を添付の特許請求の範囲で扱うものとする。